(57)【要約】  【課題】  バッテリーを使用するデジタルスチルカメラ等の電子機器をより薄くする。また、バッテリーに接触する機器側端子部のアースを容易に可能にする。  【解決手段】  電子機器は、扁平な筐体の内部にバッテリー収納部と、該バッテリー収納部に収納されたバッテリーの端子に接触する機器側端子部を備えている。前記機器側端子部１１２は、バッテリー収納部に収納されたバッテリーの端子に接触する複数の端子２０１〜２０３と、これら端子を保持してプリント基板１８１に取付けている端子ホルダ２０４と、を備えている。端子ホルダ２０５は、ホルダ本体部２０６の一側面にプリント基板を支持するプリント基板重合部２０６を備えている。前記複数の端子２０１〜２０３は、前記プリント基板重合部２０６を通してプリント基板１８１に接続されている。また、機器側端子部１１２にアース端子２２２，２２３を設けた。  【選択図】  図３８
2006253084.tif 000002
【特許請求の範囲】
【請求項１】
扁平な筐体の内部にバッテリー収納部と、該バッテリー収納部に収納されたバッテリーのバッテリー側端子部に接触する機器側端子部と、を備えた電子機器において、
前記機器側端子部は、前記バッテリー収納部に収納されたバッテリー側の端子部の端子に接触する複数の端子と、これら端子を保持してプリント基板に取付ける端子ホルダと、を備え、
前記端子ホルダは、前記プリント基板を側方に重ね合わせて支持するプリント基板重合部を備え、
前記機器側端子部の端子は、前記プリント基板重合部を通して前記プリント基板に接続されていることを特徴とする電子機器。
【請求項２】
前記機器側端子部の端子は、一端側に前記端子ホルダの一側面から突出して前記バッテリー収納部に収納されたバッテリーの端子に接触する接片を備え、他端側に前記プリント基板重合部を通して該プリント基板重合部に重ね合わされたプリント基板側に突出して、該プリント基板にハンダ付けされるプリント基板接続部を備えていることを特徴とする請求項１に記載の電子機器。
【請求項３】
前記端子ホルダは、ホルダ本体部と、該ホルダ本体部の一側面に突設されたプリント基板重合部と、により略Ｌ字状に形成されていて、前記ホルダ本体部に前記端子の接片を収容する接片収容孔が設けられていることを特徴とする請求項１に記載の電子機器。
【請求項４】
前記機器側端子部の端子は、略Ｌ字状のベース部と、該ベース部の一端側に設けられた前記接片と、前記ベース部の他端側に設けられた前記プリント基板接続部と、を備え、
前記ベース部を前記端子ホルダのホルダ本体部に重ね合わせ、前記接片の先端を前記ホルダ本体部の接片収容孔から前記ホルダ本体部の一側面側に突出させた状態で前記端子ホルダに取付けられていることを特徴とする請求項３に記載の電子機器。
【請求項５】
前記プリント基板接続部は、前記プリント基板重合部に重ね合わされたプリント基板に設けた接続部引出孔を介して該プリント基板上に引き出され、該引き出された部分が前記プリント基板にハンダ付けされていることを特徴とする請求項４に記載の電子機器。
【請求項６】
前記機器側端子部の端子は、一枚の金属板を折り曲げることにより一体に形成されていることを特徴とする請求項１に記載の電子機器。
【請求項７】
前記端子ホルダは、アース端子を備え、該アース端子は、前記複数の端子のうちの少なくとも一つの端子に接続されていることを特徴とする請求項１に記載の電子機器。
【請求項８】
前記アース端子は、前記端子ホルダの上面及び／又は下面に配置されていることを特徴とする請求項７に記載の電子機器。
【請求項９】
前記アース端子が接続されている端子は、前記複数の端子のうちのマイナス端子であることを特徴とする請求項７に記載の電子機器。
【請求項１０】
前記アース端子は、前記マイナス端子と一体に形成されていることを特徴とする請求項９に記載の電子機器。
【発明の詳細な説明】
【技術分野】
【０００１】
本発明は、バッテリーを使用するデジタルカメラや携帯式ゲーム機等の電子機器に関するものである。
【背景技術】
【０００２】
デジタルカメラや携帯式ゲーム機等の電子機器として、バッテリーを使用するものが知られている。（例えば、特許文献１）。一方、図４９に示すように、バッテリー３０１として、、扁平な薄型の直方体形状に形成されていて、先端部にバッテリー側端子部３０２を設けたもの知られている。前記バッテリー側端子部３０２は、例えば、プラス端子３０３、コントロール端子３０４、マイナス端子３０５を備えている。（例えば、特許文献２）。
【０００３】
前記バッテリー３０１を使用する電子機器は、当然のことながらバッテリー収納部を備えていて、該バッテリー収納部の奥端部には、前記第１〜第３のバッテリー側端子３０３〜０５が接触する機器側端子部を備えている。そして、前記バッテリーをバッテリー収納部に挿入すると、前記バッテリー側端子部の第１〜第３のバッテリー側端子３０３〜３０５が、前記バッテリー収納部の奥端側に設けた機器側端子部の第１〜第３の端子に接触するようになっている。
【特許文献１】特開２００３−３６９１５号公報
【特許文献１】特開２００２−１１０１２１号公報
【発明の開示】
【発明が解決しようとする課題】
【０００４】
ところで、扁平な薄型のバッテリーを使用する電子機器において、例えば図５０に示すように、複数の端子３１１を端子ホルダ３１２に取付けて機器側端子部３１３を構成し、前記端子ホルダ３１２をプリント基板３１４に載置し、前記端子ホルダ３１２の下端から突出させた前記複数の端子３１１の下端部３１１ａを前記プリント基板３１４に設けた孔３１５から前記プリント基板３１４の下面側に引き出したのちに、ハンダ付け部３１６により前記プリント基板３１４に接続する構成にした場合には次に述べるような問題点があった。
（１）前記端子ホルダ３１２の上端から前記複数の端子３１１の下端部３１１ａもしくは前記ハンダ付け部３１６の下端までの高さＨ１は、前記端子ホルダ３１２の高さＨ２に、前記プリント基板３１４の肉厚Ｈ３と、前記プリント基板３１４の下面から突出している前記複数の端子３１１の下端部３１１ａの長さ若しくは前記ハンダ付け部３１６の肉厚Ｈ４を加えた値（Ｈ１＝Ｈ２＋Ｈ３＋Ｈ４）となり、電子機器を薄肉にする上でのネックになっている。
（２）前記機器側端子部３１３のアースについては考慮されておらず、前記機器側端子部３１３をアースする場合には、新たにアース構造を施さなければ個さならないためコストが高くなる。
【０００５】
本発明の目的は、前記端子ホルダの上端から前記複数の端子の下端部もしくは前記ハンダ付け部の下端までの高さＨ１をより低くして機器の薄肉化を可能にした。
【０００６】
また、本発明の他の目的は、機器側端子部のアースを容易に行うことができるようにすることにある。
【課題を解決するための手段】
【０００７】
本発明は、扁平な筐体の内部にバッテリー収納部と、該バッテリー収納部に収納されたバッテリーのバッテリー側端子部に接触する機器側端子部と、を備えた電子機器において、前記機器側端子部を、前記バッテリー収納部に収納されたバッテリー側端子部の端子に接触する複数の端子と、これら端子を保持してプリント基板に取付けている端子ホルダと、で構成し、前記端子ホルダの一側面にプリント基板を重ね合わせるプリント基板重合部を設け、該プリント基板重合部にプリント基板に重ね合わせることにより、端子ホルダの側方に保持した。前記機器側端子部の端子の一端側に、前記端子ホルダの一側面から突出して前記バッテリー収納部に収納されたバッテリーの端子に接触する接片を設けると共に、他端側に前記プリント基板重合部を通して該プリント基板重合部に重ね合わされているプリント基板上に突出して、該プリント基板にハンダ付けされるプリント基板接続部を設けた。
【０００８】
前記端子ホルダを、ホルダ本体部と、該ホルダ本体部の一側面に突設されたプリント基板重合部と、により略Ｌ字状に形成し、前記ホルダ本体部に前記端子の接片を収容する接片収容孔を設け、該接片収容孔を介して前記端子の接片の先端部をホルダ本体部の一側面の外部に突出させた。
【０００９】
前記端子を、ベース部と、該ベース部の一端部に設けられた前記接片と、前記ベース部の他端部に前記接片と略平行に設けられた前記プリント基板接続部と、で構成し、前記ベース部を前記端子ホルダのホルダ本体部上に載置し、前記接片を前記接片収容孔内に収容し、前記接片の先端部を前記ホルダ本体部の一側面側に突出させた状態で前記端子ホルダに取付けた。前記プリント基板接続部を、前記プリント基板重合部に重ね合わされているプリント基板上に突出させ、該突出した部分を前記プリント基板にハンダ付けした。前記端子を、一枚の金属板を折り曲げることにより一体に形成した。
【００１０】
前記端子ホルダに、前記複数の端子のうちの少なくとも一つの端子に接続されたアース端子を設けた。前記アース端子を、前記端子ホルダの上面及び／又は下面に配置した。前記アース端子を、前記複数の端子のうちのマイナス端子に接続した。前記アース端子と前記マイナスの端子を一体に形成した。
【発明の効果】
【００１１】
端子ホルダの側方にプリント基板を配置したので、該プリント基板の肉厚を前記端子ホルダの高さ内に吸収し、そのぶん肉厚を薄くすることができる。前記機器側端子部の端子の一端側に設けたプリント基板接続部をプリント基板上に突出させて、該プリント基板にハンダ付けしたので、前記プリント基板接続部の長さおよびハンダ付け部の肉厚を前記ホルダ本体部の高さ内に吸収し、そのぶん肉厚を薄くすることができる。
【００１２】
前記端子ホルダを、ホルダ本体部と、該ホルダ本体部の一側面に突設されたプリント基板重合部と、により略Ｌ字状に形成し、前記ホルダ本体部に前記端子の接片を取付ける接片収容孔を設け、該接片収容孔を介して前記端子の接片の先端部をホルダ本体部の一側面の外部に突出させたので、バッテリーの端子によって、前記接片が押されたときに該接片は前記接片収容孔内に押し戻されて前記接片に過度の押圧力が作用するのを防ぐことができる。また、前記接片の配置スペースを最小限にすることができる。
【００１３】
前記端子を、ベース部と、該ベース部の一端部に設けられた前記接片と、前記ベース部の他端部に設けられた前記プリント基板接続部と、で構成したので、前記ベース部を前記端子ホルダのホルダ本体部上に載置し、前記接片を前記ホルダ本体部の接片収容孔内に収容するとともに、前記接片の先端部を前記接片収容孔から前記ホルダ本体部の一側面側に突出させた状態で前記端子ホルダに取付けることができる。特に、前記プリント基板接続部を、前記プリント基板重合部に重ね合わされているプリント基板に設けた接続部引出孔を介して、前記プリント基板上に突出した部分を前記プリント基板に容易にハンダ付けすることができる。前記端子を、一枚の金属板を折り曲げることにより一体に形成したのて、端子を容易に製造することができると共に、金属板によって前記接片に適度の弾性を持たせることができる。
【００１４】
前記端子ホルダにアース端子を設け、該アース端子を前記複数の端子のうちの少なくとも一つの端子に接続したので、該アース端子を電子機器の金属フレーム等に接触させるによってアースを容易に行うことができる。特に、アース端子を、前記端子ホルダの上面及び／又は下面に配置したので、何れか一方のアース端子を金属製の筐体のカバー等に接触させることによってアースが可能になる。また、前記アース端子と前記マイナス端子を一体に形成したので、アース端子とマイナス端子を別個に製造する場合に較べて、コストが安くなり、また端子ホルダへの組み付けも容易になる。
【発明を実施するための最良の形態】
【００１５】
以下、本発明の電子機器を、（１）電子機器全体の概略構成、（２）カメラ本体部の構成、（３）バッテリーおよびバッテリーの端子部が接触する機器側端子部の構成、（４）バリヤの構成、（５）ローラの構成、（６）バリヤスライドガイド部の構成、（７）トグルバネの構成、（８）メモリーカード収納部の蓋の構成、（９）バッテリー収納部の蓋の構成、（１０）バッテリーリリースレバーの構成、（１１）ストラップ金具の構成、の順に説明する。
（１）電子機器全体の概略構成、
図１Ａ、図１Ｂは本発明の電子機器としてのデジタルカメラを第１の主面（正面）側から見た斜視図、図２は本発明のデジタルカメラを第２の主面（裏面）側から見た斜視図である。
【００１６】
前記デジタルカメラ１は、前記扁平な直方体形状のカメラ本体部２の第１の主面３に臨んで撮像レンズ４と、オートフォーカス用の補助光を発光させるためのＡＦイルミネータ５と、フラッシュ用の発光部６が配置されていて、図１Ａに示す前記撮像レンズ４、ＡＦイルミネータ５、フラッシュ用の発光部６を露出させる第１の位置と、図１Ｂに示す前記撮像レンズ４、ＡＦイルミネータ５、フラッシュ用の発光部６を隠蔽する第２の位置の間で移動可能なバリヤ（レンズカバー）７を備えている。前記筐体２の第１の主面３からは、前記筐体２に収容したアイリス駆動機構８の一部が突出している。
【００１７】
図１Ａに示すように、前記バリヤ７が前記第１の位置に在るときに該バリヤ７で隠蔽される位置で、かつ図１Ｂに示すように、前記バリヤ７が前記第２の位置に在るときにも該バリヤ７で隠蔽される位置に前記アイリス駆動機構１８４の一部が突出している。
【００１８】
前記バリヤ７は、略矩形状に形成されていて、四隅部には、前記カメラ本体部２の第１の主面３に接触する第１〜第４のローラ１１〜１４が設けられていると共に、移動方向の両側部には一対の第１,第２のバリヤスライドガイド部１５、１６が配置されている。そして、前記バリヤ７は、前記第１〜第４のローラ１１〜１４と第１,第２のバリヤスライドガイド部１５、１６とによって、前記カメラ本体部２の第１の主面３上を前記第１の位置と前記第２の位置の相互で移動するようになっている。
【００１９】
前記第１のバリヤスライドガイド部１５は、後にカメラ本体部の構成の項で詳しく説明するように、カメラ本体部２側に設けた第１のバリヤ係合体２５と、バリヤ側に設けられていて前記第１のバリヤ係合体２５がスライド可能に重合するレール状の第１のバリヤ係合体係合部９１と、からなっている。また、前記第２のバリヤスライドガイド部１６は、前記第１のバリヤスライドガイド部１５と同様に、前記カメラ本体部２側に設けた第２のバリヤ係合体２６と、バリヤ側に設けられていて前記第２のバリヤ係合体２６がスライド可能に重合するレール状の第２のバリヤ係合体係合部９２と、からなっている。
【００２０】
前記バリヤ７は、前記第１の位置に在るときには、図１Ａに示すように、バリヤ付勢バネ（以下、トグルバネと称する）１７のバネ力で前記第１,第２のバリヤ係合体２５、２６に前記レール状の第１,第２のバリヤ係合体係合部９１,９２の一端側に設けた第１のストッパー部１８が押し付けられて前記撮像レンズ４、ＡＦイルミネータ５、フラッシュ用の発光部６を露出させた状態に維持される。また、前記第２の位置に在るときには、図１Ｂに示すように、前記トグルバネ１７のバネ力で前記第１,第２のバリヤ係合体２５,２６に前記レール状の第１,第２のバリヤ係合体係合部９１,９２の他端側に設けた第２のストッパー部１９が押し付けられて前記撮像レンズ４、ＡＦイルミネータ５、フラッシュ用の発光部６および前記アイリス駆動機構８の一部を隠蔽した状態に維持される。
【００２１】
図２Ａ、図２Ｂに示すように、前記カメラ本体部２内にはメモリーカード等の記録媒体を収納するメモリーカード収納部６６が設けられている。前記メモリーカード収納部６６は、前記第１の主面３と前記第２の主面５１を結ぶ第１の端面（下端面）６５に開口されていて、該開口部を介して前記メモリーカード収納部６６へのメモリーカードの挿抜が行われる。前記メモリーカード収納部６６の開口部は、メモリーカード収納部用の蓋（以下、メモリーカード蓋と称する）６７で開閉される。また、前記前記カメラ本体部２内には前記メモリーカード収納部６６と直交する方向にバッテリー収納部６９が設けられている。前記バッテリー収納部６９は、前記第１の主面３と前記第２の主面５１を結ぶ第２の端面（右側端面）６８に開口されていて、該開口部を介して前記バッテリー収納部６９へのバッテリーの挿抜が行われる。前記バッテリー収納部６９の開口部は、バッテリー蓋７０で開閉される。前記バッテリー蓋７０の側方には、前記バッテリー収納部６９へのバッテリーの挿入および前記バッテリー収納部６９からバッテリーの抜去を許容するバッテリーリリースレバー７１と、前記バッテリー蓋７０を開いたときに該バッテリー蓋７０が重なるストラップ金具７２と、マルチコネクター接続端子７３と、電源釦７４が設けられている。前記バッテリーリリースレバー７０は、前記バッテリー蓋６９の側方に、該バッテリー蓋６９と非重合状態に配置されている。また、前記バッテリー収納部６９の奥端面には、バッテリーの端子と接触する機器側端子部１１２とバッテリー排出用のバネ１６１が設けられている。
【００２２】
前記バッテリー収納部６９にバッテリーを挿入すると、該バッテリーの先端面で前記バッテリー排出用のバネ１６１が押圧されて、該バッテリー排出用のバネ１６１は蓄勢されて行く。バッテリーがバッテリー収納部６９内に収納されると、前記バッテリーの先端面に設けた端子が前記バッテリー収納部６９の奥端側に設けた機器側端子部１１２と接触する。そこで、前記バッテリーリリースレバー７１の先端で前記バッテリーの背面を押さえて、バッテリーがバッテリー収納部６９から抜け出るのを防止する。
【００２３】
バッテリーをバッテリー収納部６９から抜き出す際には、前記バッテリーリリースレバー７１による前記バッテリーの背面の押さえを解除すると、バッテリーは、前記バッテリー排出用のバネ１６１のバネ力で前記バッテリー収納部６９から所定量押し出される。
（２）カメラ本体部の構成、
カメラ本体部２は、筐体８に各種部品を組み付けることにより構成されている。図３、図４に示すように、前記筐体８は、前記第１の主面３を有する上側カバープレート９と、前記第２の主面５１を有する下側カバープレート１０を結合することにより形成されている。前記筐体８の第１の端面（カメラ通常使用時における下端面）６５は、前記上側カバープレート９の第１の端縁９ａと前記下側カバープレート１０の第１の端縁１０ａを突き合せることにより構成されている。（図２Ｂ参照）。
【００２４】
前記筐体８の第３の端面（上端面）６１は、前記上側カバープレート９の第２の端縁９ｂと、前記下側カバープレート１０の第２の端縁１０ｂを突き合せることにより構成されている。（図１Ａ参照）。前記筐体８の第４の端面（カメラ通常使用時における使用者の左側の端面）７５は、前記上側カバープレート９の第２の端縁９ｃと、前記下側カバープレート１０の第２の端縁１０ｃを突き合せることにより構成されている。（図１Ａ参照）。
【００２５】
前記第４の端面７５と対向する上，下側カバープレート９，１０の一端側９ｄ、１０ｄは、開口された状態になっていて、該開口に前記筐体８の第２の端面（カメラ通常使用時における使用者の右側の端面）６８が組み付けられる構成になっている。
【００２６】
前記筐体の第２の端面６８は、アルミダイカストやプラスチックの射出成形によって形成されていて、前記バッテリー収納部６９の開口部６９ａ（図３参照）が形成され、該開口部６９ａは、後に説明するバッテリー蓋７０で開閉される。図４に示すように、前記第２の端面６８の外面側にストラップ金具７２が一体に形成されている。また、前記第２の端面６８の内面側には、前記筐体８内を仕切る仕切板１７１が配置されている。
【００２７】
前記仕切板１７１の一側部は、前記第２の端面６８の内面側に位置決め保持される。前記仕切板１７１の他側部には、第１，第２のアーム部１７２，１７３が設けられている。前記仕切板１７１は、前記第２の端面６８と前記第１，第２のアーム部１７２，１７３とによって、前記第１の主面３と前記第２の主面５１の間に、これら第１の主面３と前記第２の主面５１と略平行に配置されている。図５に示すように、前記筐体８内は、前記仕切板１７１によって、前記仕切板１７１と前記筐体８の第１の主面３との間に位置する第１の部品収納空間１７４と、前記仕切板１７１と前記筐体８の第２の主面５１との間に位置する第２の部品収納空間１７５と、前記仕切板１７１の存在しない第３の部品収納空間１７６と、に仕切られている。なお、５２は、前記第２の主面５１に設けられた透明な液晶表示窓である。
【００２８】
図６および図８に示すように、前記第１の部品収納空間１７４内には、ＡＦイルミネータ５とストロボ用の発光部６およびコンデンサ１７９を備えたストロボユニット１８０と、メモリーカード収納部６６と、メインのプリント基板１８１と、機器側端子部１１２と、スピーカ５７と、バッテリー収納部６９等が配置される。
【００２９】
前記バッテリー収納部６９は、前記上側カバープレート９の第１の主面３の内面に設けられている。前記バッテリー収納部６９は、扁平な略四角形の筒状に形成されていて、前記筐体８の第２の端面６８に臨む一端側の開口部６９ａがバッテリー挿抜口になっている。そして、前記上側カバープレート９を前記仕切板１７１上に組み付けたときに、前記バッテリー収納部６９が前記仕切板１７１上に位置するようになっている。
【００３０】
前記プリント基板１８１は、前記メモリーカード収納部６６上に重ね合わせた状態で取付けられている。前記メモリーカード収納部６６は、開口部６６ａが前記筐体８の第１の端面６５の略中央部に臨んで配置されている。前記メモリーカード収納部６６の一側部には前記機器側端子部１１２が設けられている。前記機器側端子部１１２は、前記バッテリー収納部６９の奥端側の開口部６９ｂに臨んでいる。そして、前記バッテリー収納部６９の開口部６９ａからバッテリー１１１を前記バッテリー収納部６９内に収納すると、該バッテリー１１１側の端子が前記メモリーカード収納部６６の一側部に設けた機器側端子部１１２に接触する。
【００３１】
前記ＡＦイルミネータ５と、ストロボ用の発光部６は、前記メモリーカード収納部６６と前記筐体の第３の端面６１との間に配置されている。また、前記コンデンサ１７９は、前記バッテリー収納部６９と前記筐体８の前記第３の端面６１との間に配置されている。
【００３２】
前記第２の部品収納空間１７５には、液晶パネル１８２が配置されている。前記液晶パネル１８２は、背面側が前記仕切板１７１上に支持されている。また、前記液晶パネル１８２の表示面は、前記筐体８の下側カバープレート１０の第２の主面５１に設けた透明な液晶表示窓５２を介して外部に表示される。
【００３３】
前記第３の部品収納空間１７６には、レンズユニット１８３が配置されている。前記レンズユニット１８３は、光学系を縦方向に配置し、プリズムを用いて光軸を折り曲げることで、光学ズームを装備した細長く薄いレンズが使用されている。前記レンズユニット１８３の一端側に撮像レンズ４が配置されている。そして、前記撮像レンズ４を前記筐体の第３の端面６１側、即ち前記ＡＦイルミネータ５の側方に位置させた状態で、前記レンズユニット１８３は、前記第３の部品収納空間１７６に収納されている。
【００３４】
前記レンズユニット１８３の一側部にはアイリス駆動部１８４が設けられていて、該アイリス駆動部１８４の少なくとも一部は、前記第１の部品収納空間１７４内に侵入する。前記アイリス駆動部１８４の少なくとも一部は、前記筐体８の第１の主面３側に変位（突出）していて、前記アイリス駆動部１８４の少なくとも一部の底面側には、図７に示すように、前記液晶パネル１８２の一側部を導入可能な凹部１８５が設けられている。そして、図１０に示すように、前記凹部１８５によって前記液晶パネル１８２を前記レンズユニット１８３側に、より接近させた状態で配置可能になっている。
【００３５】
図６に示すように、前記プリント基板１８１には、前記アイリス駆動部１８４の一部を受け入れる切欠部１８６が設けられている。
【００３６】
前記筐体８の第１の主面３側に変位した前記アイリス駆動部１８４の少なくとも一部は、図９に示すように、前記筐体８の第１の主面３に設けた突出部導入孔１８７に導入されて、該突出部導入孔１８７を介して前記筐体８の第１の主面３から突出している。そして、前記突出部導入孔１８７から突出している前記アイリス駆動部１８４の一部は、図１Ａ、図１Ｂに示すように、前記筐体８の第１の主面３の外面にスライド可能に取付けられたバリヤ７によって隠蔽されている。図６に示すように、前記プリント基板１８１は、複数のコネクタ１９１およびハーネス１９２を介して前記各部品に接続されている。
【００３７】
図１１は前記バリヤ７を取外した状態を示し、前記扁平な直方体形状の筐体２の第１の主面３の上端側の一隅部に臨んで撮像レンズ４が配置され、該撮像レンズ４の一側部にはＡＦイルミネータ５とフラッシュ用の発光部６が配置されている。
【００３８】
前記撮像レンズ４、ＡＦイルミネータ５、フラッシュ用の発光部６の下方にはベースプレート２１が取付けられている。前記ベースプレート２１には第１の開口部２２が設けられていて、該第１の開口部２２内に前記アイリス駆動部１８４の一部が収容されている。また、前記ベースプレート２１には第２の開口部２３が設けられていて、該第２の開口部２３内には前記バリヤ７が前記第１の位置に在るか、或いは前記第２の位置に在るかを検出するために前記筐体２内に設けられているバリヤ位置検出スイッチ（図示省略）を操作するためのスイッチ操作体２４が配置されている。また、前記ベースプレート２１の両側部には、前記第１,第２のバリヤスライドガイド部１５、１６を構成する一対の第１,第２のバリヤ係合体２５，２６が設けられている。
【００３９】
図１２の分解斜視図に示すように、前記ベースプレート２１には、前記第１,第２の開口部２２,２３の両側部に、前記第１,第２のバリヤ係合体２５，２６を取付けるための第１,第２のバリヤ係合体取付部３１,３２が設けられている。これら第１,第２のバリヤ係合体取付部３１,３２には、複数のボス部３３が設けられている。
【００４０】
前記スイッチ操作体２４は、板バネを略くの字状に折り曲げることにより形成されている。前記スイッチ操作体２４の一側部には、該スイッチ操作体２４を前記ベースプレート２３に取付けるための取付基部３４が設けられている。前記取付基部３４には前記第１のバリヤ係合体取付部３１に設けたボス部３３を挿入する複数のボス挿入孔３５が設けられている。
【００４１】
前記スイッチ操作体２４は、前記第２の開口部２３内に挿入した状態で前記取付基部３４に設けた複数のボス挿入孔３５に前記複数のボス部３３を挿入することにより前記第１のバリヤ係合体取付部３１に取付けられる。
【００４２】
また、前記第１のバリヤ係合体２５は、金属板を折り曲げることにより形成されている。前記第１のバリヤ係合体２５の一側部には、該第１のバリヤ係合体２５を前記ベースプレート２１に取付けるための取付基部４１が設けられている。前記取付基部４１には前記第１のバリヤ係合体取付部３１に設けたボス部３３を挿入する複数のボス挿入孔４２が設けられている。
【００４３】
そして、前述したように、前記第１のカバー係合体取付部３１に設けたボス部３３を前記第１のバリヤ係合体取付部３１の取付基部３４に設けたボス挿入孔３５に挿入したのち、これらボス部３３を前記取付基部４１に設けたボス挿入孔４２に挿入して、前記ボス部３３の先端部に所謂かしめ加工を施して拡径することにより、前記第１のバリア係合体２５は前記筐体２の第１の主面３との間にスイッチ操作体２６の取付基部３４を挟んだ状態で前記第１のバリヤ係合体取付部３１に取付けられる。なお、前記第１のバリヤ係合体２５の取付基部４１には複数の位置決めボス４３が設けられている。
【００４４】
前記位置決めボス４３は、前記第１のバリヤ係合体２５を前記第１のバリヤ係合体取付部３１に取付けたときに、前記ベースプレート２３に設けたボス挿入孔４４に嵌合して前記第１のバリヤ係合体２５の位置決めを行う。前記第１のバリヤ係合体２５の取付基部４１には前記トグルバネ１７の一端部を係止する第１のバネ係止部４５が設けられている。
【００４５】
また、前記第２のバリヤ係合体２６は、前記第１のバリヤ係合体２５と同様に金属板を折り曲げることにより形成されている。前記第２のバリヤ係合体２６の一側部には、該第２のバリヤ係合体２６を前記ベースプレート２３に取付けるための取付基部４６が設けられている。前記取付基部４６には前記第２のバリヤ係合体取付部３２に設けたボス部３３を挿入する複数のボス挿入孔４７が設けられている。
【００４６】
そして、前記第２のバリヤ係合体取付部３２に設けたボス部３３を前記取付基部４６に設けたボス挿入孔５２に挿入して、前記ボス部３３の先端部に所謂かしめ加工を施して拡径することにより、前記第２のバリヤ係合体２６は前記第２のバリヤ係合体取付部３２に取付けられる。なお、前記第２のバリヤ係合体２６の取付基部４６には位置決めボス４８が設けられている。前記位置決めボス４８は、前記第２のバリヤ係合体２６を前記第２のバリヤ係合体取付部３２に取付けたときに、該第２のバリヤ係合体取付部３２に設けた位置決めボス挿入孔４９に嵌合して前記第２のバリヤ係合体２６の位置決めを行う。なお、前記ベースプレート２１に設けた第１の開口部２２はアイリスカバーシート５０で塞がれて、前記第１の開口部２２から筐体２内への塵埃等の侵入が阻止される。また、図２Ａに示すように、前記筐体２の前記第１の主面３に対向する第２の主面５１には、液晶等の表示部５２と、モード切り替えスイッチ５３と、メニュー釦５４と、コントロール釦５５と、画面表示オンオフ釦５６と、スピーカー５７が設けられている。また、前記第１の主面３と前記第２の主面５１を結ぶ第１の端面（上端面）６１には、マイクロホン６２と、ズーム釦６３と、シャッター釦６４と、が設けられている。
（３）バッテリーおよびバッテリーの端子が接触する機器側端子部の構成、
図６に示すように、バッテリー１１１は、扁平の直方体に形成されていて、先端面にプラス端子１１１ａと、制御端子１１１ｂと、マイナス端子１１１ｃを備えている。一方、機器側端子部１１２は、前記バッテリー１１１のプラス端子１１１ａに接触する機器側のプラス端子２０１と、バッテリーの制御端子１１１ｂに接触する機器側の制御端子２０２と、バッテリーのマイナス端子１１１ｃに接触する機器側のマイマス端子２０３と、これら機器側のプラス端子２０１、制御端子２０２、マイナス端子２０３を保持してプリント基板１８１に取付ける端子ホルダ２０４と、を備えている。
【００４７】
図３８に拡大して示すように、前記端子ホルダ２０４は、ホルダ本体部２０５と、該ホルダ本体部２０５の一側面側に突出形成されたプリント基板重合部２０６と、を備えている。
【００４８】
前記プラス端子２０１は、中央部が前記端子ホルダ２０４内に埋設されている。前記プラス端子２０１の一端側は、前記ホルダ本体部２０５の表面から突出していて、該突出した部分を略Ｖ字状に折り曲げることにより接片２１１が形成され、該接片２１１に前記バッテリー１１１のプラス端子１１１ａが接触する。また、前記プラス端子２０１の他端側は、図３９に示すように、前記プリント基板重合部２０６の上面から突出してプリント基板接続部２１４、２１５、２１６になっている。前記制御端子２０２とマイナス端子２０３も前記プラス端子２０１と略同様に形成されていて、それぞれの接片２１２，２１３が前記バッテリーの制御端子１１１ｂ,マイナス端子１１１ｃに接触する。
【００４９】
そして、図４０に示すように、プリント基板重合部２０６の底面に前記プリント基板１８１を重ねると、図４１に示すように、前記プリント基板接続部２１４、２１５、２１６がプリント基板１８１に設けた接続部引出孔１８１ａ，１８１ｂ，１８１ｃを介して前記プリント基板１８１の上面側に突出して、プリント基板接続部２１４、２１５、２１６がプリント基板１８１にハンダ付けされる。
【００５０】
図３９に示すように、前記ホルダ本体部２０５の一側部には凸部２２１が設けられている。前記凸部２２１の上下面には第１、第２のアース端子２２２、２２３が設けられている。前記アース端子２２２、２２３は、リード部２２４を介して前記マイナス端子２０３に接続されている。
【００５１】
そして、図４２、図４３に示すように、前記第１のアース端子２２２は、金属製の上側カバープレート９に接触し、前記凸部２２１の下面に設けた第２のアース端子２２３は、金属製の仕切板１７１に接触するようになっている。
【００５２】
図４４〜図４８は、機器側端子部１１２の第２の実施例を示す。この実施例において、前記端子ホルダ２０４は、前記第１の実施例の場合と同様に、ホルダ本体部２０５と、該ホルダ本体部２０５の一側面に突出形成されたプリント基板重合部２０６と、によって略Ｌ字状に形成されている。前記端子ホルダ２０４には前記プラス端子２０１を取付けるプラス端子取付部２３１と、前記制御端子２０２を取付ける制御端子取付部２３２と、前記マイナス端子２０３を取付けるマイナス端子取付部２３３と、前記アース端子２２３を取付けるアース端子取付部２３４と、を備えている。
【００５３】
前記プラス端子取付部２３１は、前記ホルダ本体部２０５に設けられた接片収容孔２４１と、前記プリント基板重合部２０６に設けられていて前記接片収容孔２４１に連なる溝状の凹部２４２と、前記接片収容孔２４１の両側部に設けられた第１の端子係合部２４３と、前記凹部２４２の上部に設けられた所謂アリ溝状の第２の端子係合部２４４と、を備えている。前記制御端子取付部２３２およびマイナス端子取付部２３３も前記プラス端子取付部２３１と略同様に形成されている。また、アース端子取付部２３４は、前記ホルダ本体部２０５に凹部を設けると共に、その上下面を切欠することにより形成されている。
【００５４】
次に、プラス端子２０１と、制御端子２０２と、マイナス端子２０３と、アース端子２２２、２２３について説明する。
【００５５】
前記プラス端子２０１は、ベース部２０１ａの一端部に設けられた接片２１１と、前記ベース部２０１ａの他端部に前記接片２１１と略平行に設けられたプリント基板接続部２１４と、を備えている。
【００５６】
前記接片２１１の下端側の両側部には前記接片収容孔２４１の両側部に設けた第１の端子係合部２４３に係合する第１の爪状の突起２５１が設けられていると共に、前記ベース部２０１ａの両側部には前記凹部２４２の下部に設けられた所謂アリ溝状の第２の端子係合部２４４に係合する第２の爪状の突起２５２が設けられている。
【００５７】
前記プラス端子２０１は、前記接片２１１を前記接片収容孔２４１に挿入し、図４６に示すように、前記第１の爪状の突起２５１を前記第１の端子係合部２４３に係合させ、かつ前記第２の爪状の突起２５２を前記第２の端子係合部２４４に係合させることにより前記ホルダ本体部２０５に取付けられる。そして、図４７Ａに示すように、前記接片２１１の先端部（バッテリー側の端子に接触する部分）２１１ａを前記ホルダ本体部２０５の一側面から突出させた状態で前記端子ホルダ２０４に位置決め固定されている。
【００５８】
前記制御端子２０２とマイナス端子２０３も前記プラス端子２０１と同様に形成され、該プラス端子２０１と同様に端子ホルダ２０４に取付けられている。
【００５９】
また、図４８に示すように、前記マイナス端子２０３の一側部には略Ｕ字状のアーチ部２５３を介してアース端子ベース部２５４が設けられていると共に、該アース端子ベース部２５４に上下一対の第１、第２のアース端子２２２、２２３が設けられている。
【００６０】
そして、前記マイナス端子２０３を図４４に示す前記マイナス端子取付部２３３に取付けると、前記アース端子ベース部２５４が前記アース端子取付部２３４に収容され、前記上下一対のアース端子２２２、２２３が前記ホルダ本体部２０５の上下面から突出するようになっている。前記略Ｕ字状のアーチ部２５３は、その弾性によって前記アース端子取付部２３４の寸法誤差等を吸収しながら前記アース端子ベース部２５４を確実に前記アース端子取付部２３４に取り付けることを可能にしている。前記マイナス端子２０３とアース端子２２２、２２３は一枚の金属板を折り曲げることにより一体に形成されている。なお、上記実施例においては、端子ホルダ２０４の上端部にプリント基板重合部２０６を設け、該プリント基板重合部２０６の下面にプリント基板１８１を重ねる構成にしたが、これとは逆に、端子ホルダ２０４の下端部にプリント基板重合部２０６を設け、該プリント基板重合部２０６の上面にプリント基板１８１を重ねる構成にしてもよい。
【００６１】
この実施例の機器側端子部１１２は上述のような構成であって、バッテリー収納部にバッテリー１１１を挿入すると、図４７Ａ、図４７Ｂに示すように、前記バッテリー１１１の端子１１１ａ〜１１１ｃで機器側の端子２０１〜２０３の接片２１１〜２１３の先端部２１１ａ〜２１１ｃ）が押されて、これら接片２１１〜２１３は、湾曲変形しながら前記接片収容孔２４１に押し込まれて行く。そして、図４７Ｃに示すように、前記バッテリー１１１の先端面１１１ｄが前記前記ホルダ本体部２０５の側面に当接して、バッテリー１１１はバッテリー収納部６９内に完全に収納された状態になると共に、前記接片２１１〜２１３は、それぞれ接片収容孔２４１内に完全に収納された状態になる。従って、前記接片２１１〜２１３の配置スペースを取らず、そのぶん機器を小型化することができる。
【００６２】
本発明の機器側端子部１１２は、上述したように、複数の端子２０１〜２０３を取付けた端子ホルダ２０３のホルダ本体部２０５の一側面にプリント基板１８１に重ね合わせるプリント基板重合部２０６を設け、該プリント基板重合部２０６にプリント基板１８１を重ね合わせる構成にしたので、図４７に示すようにプリント基板１８１の肉厚Ｈ３等を前記ホルダ本体部２０５の高さＨ１内に吸収することができる。また、機器側端子部１１２にアース端子２２２，２２３を設けてアースしたので、機器側端子部１１２における静電気の帯電を防止し、かつアース端子を接触させたカバー等にシールド効果を持たせることができる。
（４）バリヤの構成、
図１２に示すように、前記バリヤ７は、枠状の内側体８１と、該枠状の内側体８１に取付けられて前記スイッチ操作体２６を押圧操作するスイッチ操作体押圧部８２を設けた金属板８３と、該金属板８３を取付けた前記内側体８１の外面に両面接着シート８４等で取付けられた外側体８５と、からなっている。
【００６３】
前記内側体８１には、略四角形の切欠窓部８６が設けられていて、該切欠窓部８６に臨んで前記金属板８３が取付けられる。前記金属板８２には前記スイッチ操作体押圧部８２が切り起こし形成されていると共に、前記第１のバリヤ係合体２５の取付基部４１に設けた第１のバネ係止部４５に一端部を係止された前記トグルバネ１７の他端部を係止する第２のバネ係止部８７を設けた舌片８８が切り起こし形成されている。
【００６４】
前記金属板８３の周縁部には複数のボス挿入孔８９が設けられていて、これらボス挿入孔８９に前記内側体８１の切欠窓部８６の周縁部に設けたボス９０を挿入し、これらボス９０の先端にかしめ加工を施して拡径することにより前記金属板８３は前記内側体８１に取付けられる。
【００６５】
また、前記内側体８１の四隅部には前記筐体２の第１の主面３に接触する第１〜第４のローラ１１〜１４が配置されていると共に、移動方向の両側部には、前記ベースプレート２１に取付けた第１,第２のバリヤ係合体２５，２６が係合して移動するレール状の第１,第２のバリヤ係合体係合部９１，９２が設けられている。
【００６６】
前記第１のバリヤ係合体係合部９１は、前記内側体８１の一側部に形成した第１の長孔９３の一側部に沿って形成されている。また、前記第２のバリヤ係合体係合部９２は、前記内側体８１の一側部に形成した第２の長孔９４の一側部に沿って形成されている。前記第１,第２のバリヤ係合体２７，２８と前記レール状の第１,第２のバリヤ係合体係合部９１，９２とにより、前記第１,第２のバリヤスライドガイド部１５、１６が構成される。
（５）ローラの構成、
図１３に示すように、前記第１〜第４のローラ１１〜１４は、円板状のローラ本体部９５と、該ローラ本体部９５の両側面から突出した回転中心軸９６を備えている。前記第１〜第４のローラ１１〜１４は、前記内側体８１の四隅部に設けた第１〜第４のローラ収容部９７に収容され、前記回転中心軸９６を中心にして回転自在になっている。
【００６７】
前記第１〜第４のローラ１１〜１４が回転自在に収容された前記第１〜第４のローラ収容部９７には側方から略コ字状のクリップ９８が取付けられて、前記第１〜第４のローラ１１〜１４が前記第１〜第４のローラ収容部９７から脱落するのを防止している。前記略コ字状のクリップ９８の対向する一対の辺９８ａには切欠窓９８ｂが設けられていて、該切欠窓９８ｂから前記円板状のローラ本体部９５の一部が突出している。
【００６８】
そして、前記内側体８１を前記筐体２の前記第１の主面３に重ね合わせると、前記第１〜第４のローラ１１〜１４が前記筐体２の前記第１の主面３に接触するようになっている。
（６）バリヤスライドガイド部の構成、
バリヤスライドガイド部は、文字通り前記バリヤ７の移動をガイドするものであり、図１４に示すように、前記バリヤ７の一側部に第１のバリヤスライドガイド部１５が配置され、他側部に第２のバリヤスライドガイド部１６が配置されている。
【００６９】
前記第１のバリヤスライドガイド部１５は、前記筐体２に設けた第１のバリヤ係合体２５を前記内側体８１に設けたレール状の第１のバリヤ係合体係合部９１に係合させることにより構成されている。また、前記第２のバリヤスライドガイド部１６は、前記筐体２に設けた第２のバリヤ係合体２６を前記内側体８１に設けたレール状の第２のバリヤ係合体係合部９２に係合させることにより構成されている。
【００７０】
前記第１のバリヤ係合体係合部９１は、前記内側体８１の一側部に形成した第１の長孔９３を介して前記第１のバリヤ係合体２５が重ね合わされた状態で係合されて、前記第１〜第４のローラ１１〜１４を筐体２の主面３に軽く押し付けている。また、前記第２のバリヤ係合体係合部９２は、前記内側体８１の他側部に形成した第２の長孔９４を介して前記第２のバリヤ係合体２８が重ね合わされた状態で係合されて、前記第１〜第４のローラ１１〜１４を筐体２の主面３に軽く押し付けている。そして、前記第１,第２の長孔９３,９４の一側部に沿って、前記バリヤ７は、前記撮像レンズを露出させる第１の位置または撮像レンズを隠蔽する第２の位置に移動させるようになっている。
【００７１】
図１４Ａに示すように、前記レール状の第１,第２のバリヤ係合体係合部９１，９２の長さ方向の一端側には、第１のストッパー１８が設けられていて、前記バリヤ７が前記第１の位置に移動したときに、前記第１のストッパー１８が前記第１,第２のバリヤ係合体２５,２６に当接して更なる移動が阻止される。また、図１４（Ｂ）に示すように、前記第１,第２の長孔９３,９４の長さ方向の他端側には第２のストッパー１９が設けられていて、前記バリヤ７が前記第２の位置に移動してきたときに、前記第１,第２のバリヤ係合体２５,２６が当接して更なる移動が阻止される。なお、前記第２のバリヤ係合体係合部９２の第１,第２のストッパー部１８,１９は、前記第２，第４のローラ１２，１４が前記第１〜第４のローラ収容部９７から脱落するのを防止している前記略コ字状のクリップ９８で構成されている。
（７）トグルバネの構成、
トグルバネ１７は、前記バリヤ７が前記第１の位置に在るときに前記第１,第２のバリヤ係合体２５,２６に第１のストッパー部１８に押し付けて前記バリヤ７を開放状態に維持し、前記バリヤ７が前記第２の位置に在るときに前記第１,第２のバリヤ係合体２５,２６に前記第２のストッパー部１９に押し付けて前記バリヤ７を閉塞状態に維持する。
【００７２】
図１５に示すように、前記トグルバネ１７は、コイル部１７ａと、該コイル部１７ａの一端から伸びる第１のアーム部１７ｂと、前記コイル部１７ａの他端から伸びる第２のアーム部１７ｃと、からなる所謂捻りコイルバネが使用される。
【００７３】
前記トグルバネ１７の第１のアーム部１７ｂは、前記第１のバリヤ係合体２５の取付基部４１に設けた第１のバネ係止部４５に回動可能に係止されている。また、前記トグルバネ１７の第２のアーム部１７ｃは、前記内側体８１に取付けた金属板８３（図１２参照）の切起片８８に設けられた第２のバネ係止部８７に回動可能に係止されている。
【００７４】
前記トグルバネ１７は、前記バリヤ７が前記第１の位置に在るときには、図１４Ａに示すように、前記第１,第２のバリヤ係合体２５,２６に第１のストッパー部１８を押し付けて前記バリヤ７を開放状態に維持する。そして、前記バリヤ７を第１の位置から第２の位置に移動させて行くと、前記トグルバネ１７のコイル部１７ａが回動（反転）し、前記バリヤ７が所定の位置まで移動してくると、前記トグルバネ１７のバネ力の作用方向が逆転して、図１４Ｂに示すように、前記第１,第２のバリヤ係合体２５,２６に第２のストッパー部１９を押し付けて前記バリヤ７を閉塞状態に維持する。
（８）メモリーカード収納部の蓋（メモリーカード蓋）の構成、
メモリーカード蓋６７は、メモリーカード収納部６６の開口部を開閉するものであり、図３１の断面図に示すように、蓋を閉じた状態において前記第１の主面３と前記第２の主面５１を結ぶ第２の端面（下端面）６５と略面一に重なる端面重合部（蓋本体部）１４１と、前記第２の主面５１に略面一に重なる主面重合部１４２と、を備えている。
【００７５】
前記モリーカード蓋６７は、蓋回動機構１４３により前記筐体２に取り付けられていて、前記メモリーカード収納部６６の開口部６６ａを閉塞する第１の位置（図３１）と、前記開口部６６ａを開放する第２の位置（図３３）との間で回動可能に前記筐体２に取り付けられている。
【００７６】
前記蓋回動機構１４３は、前記メモリーカード蓋６７の回動支点軸１４４と、前記前記回動支点軸１４４を前記筐体２に移動可能に取り付けている長溝状の軸受１４５と、前記メモリーカード蓋６７の開閉に伴う前記回動支点軸１４４の回転によって前記回動支点軸１４４を前記長溝状の軸受１４５に沿って移動させるラック１４６とピニオン１４７を備えている。
【００７７】
前記回動支点軸１４４は前記メモリーカード蓋６７に設けられ、前記長溝状の軸受１４５は筐体２に設けられている。前記ピニオン１４７は、前記回動支点軸１４４の外周面に設けられ、前記ラック１４６は、前記長溝状の軸受の１４５の軸移動方向に沿って設けられている。
【００７８】
前記長溝状の軸受１４５は、メモリーカード収納部６６へのメモリーカード１４８の挿入方向Ａ・排出方向Ｂに対し略平行に設けられていて、前記メモリーカード蓋６７を閉じると前記回動支点軸１４４が前記長溝状の軸受１４５内をメモリーカード１４８の挿入方向Ａに移動し、前記メモリーカード蓋６７を開くと前記回動支点軸１４４が前記長溝状の軸受１４５内をメモリーカード１４８の排出方向Ｂに移動する。
【００７９】
また、図３４に示すように、前記メモリーカード蓋６７を閉じたときに、前記回動支点軸１４４を前記長溝状の軸受１４５のメモリーカード１４８の挿入方向Ａの端部側に押し付け（図３１）、前記メモリーカード蓋６７を開いたときに前記回動支点軸１４４を前記長溝状の軸受１４５のメモリーカード１４８の排出方向Ｂの端部側に押し付ける（図３３）ためのクリック機構１５１を備えている。
【００８０】
前記クリック機構１５１は、前記メモリーカード蓋６７に設けられていて該メモリーカード蓋６７の回動に伴って回動するクリック軸１５２と、前記筐体２に設けられていて前記クリック軸１５２の周面に接触しているバネ材（板バネ）１５３と、で構成されている。前記クリック軸１５２の周面には、前記バネ材１５３で前記回動支点軸１４４を前記長溝状の軸受１４５のメモリーカード１４８の挿入方向Ａの端部側に押し付ける方向の付勢力を発生させるための第１のバネ接触面１５４と、前記回動支点軸１４４を前記長溝状の軸受１４５のメモリーカード１４８の排出方向Ｂの端部側に押し付ける方向の付勢力を発生させるための第２のバネ接触面１５５と、が前記クリック軸１５２の回動方向に連続して設けられている。
【００８１】
第１のバネ接触面１５４と第２のバネ接触面１５５の境界部１５６は、前記バネ材１５３に前記クリック軸１５２の回動力を発生させない所謂ニュートラル位置である。前記境界部１５６の前記クリック軸１５２の回動軸心Ｃからの半径方向の距離は、前記クリック軸１５２の回動軸心Ｃから前記第１，第２のバネ接触面１５４，１５５までの半径方向の距離よりも大に設定されている。なお、図３７は、メモリーカード蓋６７を開いた状態の斜視図であり、前記蓋回動機構１４３はメモリーカード蓋６７の両側部に一対配置され、前記クリック機構１５１は前記蓋回動機構１４３の内側に一対配置されている。
【００８２】
実施例のメモリーカード蓋６７は、上述のような構成であって蓋を閉じた状態においては、図３１に示すように、メモリーカード蓋６７の外面は、筐体２の外面と略面一の状態になる。そして、メモリーカード蓋６７を開くと、該メモリーカード蓋６７は、徐々に筐体２から突出していき、全開状態にすると、図３３に示すように、前記メモリーカード蓋６７は、主面重合部１４２の高さだけ前記筐体２の第２の主面５１から突出し、前記端面重合部（蓋本体部）１４１が前記第２の主面５１に対して平行状態になる。
（９）バッテリー収納部の蓋（バッテリー蓋）の構成、
図１６に示すように、前記第１の主面３と前記第２の主面５１を結ぶ端面６８には、前記バッテリー収納部６９の開口部６９ａを開閉するバッテリー蓋７０と、前記バッテリー収納部６９へのバッテリーの挿脱を許容するバッテリーリリースレバー７１と、前記バッテリー蓋７０を開いたときに該バッテリー蓋７０が重なるストラップ金具７２と、マルチコネクター接続端子７３と、を備えている。前記バッテリーリリースレバー７１は、前記バッテリー蓋７０の長さ方向の一端部の外側に並べた状態で配置されている。
【００８３】
前記バッテリー蓋７０は、軸１０１により前記筐体２に回動可能に取り付けられていて、前記軸１０１を中心にして時計方向に回動させると、図１６に示すように、前記筐体２の端面６８上に重なって、前記開口部６９ａを閉じる。また、図１６に示す状態から反時計方向に略１００°回動させると、図１７に示すように、前記バッテリー蓋７０は、開いた状態になり前記ストラップ金具７２に重なって更なる回動を規制されて前記ストラップ金具７２によって保護される。
【００８４】
図１８に示すように、前記軸１０１は弾性を有する金属棒によって形成されていて、その一端側には前記バッテリー蓋７０の閉塞時においては該バッテリー蓋７０を前記筐体２の端面６８側に押し付け、また、前記バッテリー蓋７０の開放時においては該バッテリー蓋７０を前記ストラップ金具７２に押し付けるバネ部１０２が設けられている。前記バネ部１０２は、前記軸１０１の一端側を折り曲げることにより該軸１０１と一体に形成されていて、図２０Ａ，図２０Ｂ， 図２０Ｃに示すように筐体２側に設けたバネ当接面１０２に接触している。
【００８５】
前記バッテリー蓋７０の閉塞時においては、図２０Ａに示すように、前記バネ部１０２は、筐体２側に設けたバネ当接面１０３に接触して、前記軸１０１およびバッテリー蓋７０に矢印Ａ方向（時計方向）の回動力を付与して前記バッテリー蓋７０を前記筐体２の端面６８側に押し付ける。図２０Ａに示す状態から前記バッテリー蓋７０を開放方向（矢印Ｂ方向）に回動させると、前記バネ部１０２は前記バネ当接面１０３で押されて変形して行き、図２０Ｂに示すように、前記バッテリー蓋７０が所定角度、例えば４５°開いたときに前記バネ部１０２は最も変形し、前記軸１０１およびバッテリー蓋７０に回動力を付与しない中立位置にくる。図２０Ｂに示す状態から更に前記バッテリー蓋７０を開放方向（矢印Ｂ方向）に回動させると、今度は前記バネ部１０２によって前記バッテリー蓋７０を開放させる方向（矢印Ｂ方向）のバネ力が生じ、前記バッテリー蓋７０は、図２０Ｃに示すように、前記ストラップ金具７２に押し付けられて、前記筐体２の開口部６９ａを開放した状態に維持される。
（１０）バッテリーリリースレバーの構成、
前記バッテリーリリースレバー７１は、図１６、図１７に示すように、一端部に設けたバッテリー係合部１０６が前記バッテリー収納部６９の開口部６９ａの一部を塞ぐ位置と前記開口部６９ａを開放する位置との間でスライド可能に前記第１の端面６８に設けたレバーガイド部１０７に取付けられている。前記バッテリーリリースレバー７１は、底面側に配置されているバネ材１０８により前記バッテリー収納部６９の開口部６９ａの一部を塞ぐ位置に付勢されている。前記バッテリー係合部１０６の上面は傾斜状のバッテリー押出面１０６ａになっている。
【００８６】
図２１に示すように、前記バッテリーリリースレバー７１を前記バネ材１０８のバネ力に抗してバッテリー１１１を挿入するのに支障のない位置、即ち前記開口部６９ａを開放する位置まで押し戻した状態でバッテリー１１１をバッテリー収納部６９に挿入する。バッテリー１１１をバッテリー収納部６９に挿入すると、前記バッテリー１１１の先端面で、前記バッテリー排出用のバネ１６１が押されて撓んで蓄勢される。そして、バッテリー１１１の先端面に設けた端子が前記バッテリー収納部６９の奥端側に設けたバッテリー端子に接触する。
【００８７】
バッテリー１１１をバッテリー収納部６９に収納したのち、前記バッテリーリリースレバー７１の押し戻しを解除すると、該バッテリーリリースレバー７１は、前記バネ材１０８のバネ力で自動的に前記バッテリー収納部６９の開口部６９ａの一部を塞ぐ位置まで復帰して、バッテリー１１１がバッテリー収納部６９から抜け出るのを防止する。そして、図２２に示すように、前記バッテリー蓋７０を閉じてバッテリー１１１の挿入作業が終了する。
【００８８】
前記バッテリー蓋７０を閉じた侭の状態で、前記バッテリーリリースレバー７１を押し戻すことが可能であると、前記バッテリーリリースレバー７１が誤って押し戻されたような場合に、バッテリー１１１がバッテリー収納部６９の奥端部に設けられている機器側端子部１１２のバネ力および前記バッテリー排出用のバネのバネ力によりバッテリー収納部６９から押し出されてしまうことがある。押し出される量が僅かであると、前記バッテリー蓋７０の存在によって、バッテリー１１１がバッテリー収納部６９内に完全に収納されていないことが明確にならない場合がある。
【００８９】
そこで、図２１に示すように、前記バッテリーリリースレバー７１に蓋係合部１１３を設ける一方、前記バッテリー蓋７０にリリースレバー係合部１１４を設け、前記バッテリー蓋７０を閉じた状態にすると、図２３に示すように、前記蓋係合部１１３の側方に前記バッテリーリリースレバー係合部１１４が位置し、前記バッテリーリリースレバー７１を押し戻し方向に移動させようとすると、前記蓋係合部１１３が前記バッテリーリリースレバー係合部１１４に係合して前記バッテリー蓋７０を閉じた侭の状態で前記バッテリーリリースレバー７１が押し戻されるのを防止するようになっている。
【００９０】
前記バッテリー収納部６９からのバッテリー１１１の取り出しは、前記バッテリー蓋７０を開いた後に、前記バッテリーリリースレバー７１を前記バネ材１０８の付勢力に抗して押し戻すことによりなされる。前記バッテリーリリースレバー７１を押し戻して、バッテリー１１１の押さえを解除すると、図２４に示すように、バッテリー１１１は前記機器側端子部１１２の端子のバネ力によりバッテリー収納部６９から押し出される。
【００９１】
前記機器側端子部１１２の端子のバネ力によりバッテリー１１１が押し出された後に、前記バッテリーリリースレバー７１をバッテリー１１１に移動させれば、図２５に示すように、前記バッテリーリリースレバー７１のバッテリー係合部１０６の上面の傾斜状のバッテリー押出面１０６ａで前記バッテリー１１１のプレート１１１ａに設けた傾斜面１１１ｂを押して前記バッテリー１１１を更にバッテリー収納部６９から押し出す。
（１１）ストラップ金具の構成、
ストラップ金具７２は、落下防止のために手首用のリストストラップや首に掛けるネックストラップ等を取り付けるための金具であり、撮影時に親指等を当てることにより筐体２を保持し易くする働きもする。
【００９２】
前記ストラップ金具７２は、図２及び図１６に示すように、前記筐体２の端面６１の前記第２の主面５１側の側縁に沿って起立させた状態に一体的に形成されていて、前記第２の主面５１側の第１の面７２ａと反対側の第２の面７２ｂが前記バッテリー蓋７０の受面になっている。前記第２の面７２ｂは、前記筐体２の端面６１またはバッテリー収納部６９の開口部６９ａに対して少なくとも９０°よりも大きな傾斜角度θで形成されている。また、前記第１の面７２ａには、前記マルチコネクター接続端子７３に、次に説明するマルチコネクター１２１を接続したときに、該マルチコネクター１２１が前記マルチコネクター接続端子７３から抜けないように、該マルチコネクター１２１の係合部１２７が係合する溝状の被係合部１１５が設けられている。また、ストラップ金具７２には、ストラップを取付けるための孔１１６が設けられている。
【００９３】
図２７は、前記マルチコネクター接続端子７３に接続するマルチコネクター１２１を示す。前記マルチコネクター１２１は、ＤＣ入力端子１２２と、ＵＳＶ端子１２３と、Ａ／Ｖ出力端子１２４を第１の側面１２１ａに備え、前記マルチコネクター接続端子７３に挿入する端子１２５と、前記ストラップ金具７２を挿入するストラップ金具挿入凹部１２６を第２の側面１２１ｂに備え、前記ストラップ金具挿入凹部１２６の内面に臨んで前記ストラップ金具７２の溝状の被係合部１１５に係合する係合部１２７を備え、前記係合部１２７の前記被係合部１１５からの係合解除操作を行う係合解除釦１２８を第３の側面１２１ｃに備えている。
【００９４】
そして、図２７に示すように、カメラ１の略真横から前記マルチコネクター接続端子７３に端子１２５を挿入すれば、図２８に示すように、前記ストラップ金具７２が自ずと前記ストラップ金具挿入凹部１２６内に挿入されるとともに、前記係合部１２７が前記被係合部１１５に係合して、前記マルチコネクター１２１をカメラ１側にロックする。
【００９５】
図２９は、前記マルチコネクター１２１の要部の断面図である。前記爪状の係合部１２７は、軸１３１を中心に回動可能になっていて、バネ１３２によって前記ストラップ金具挿入凹部１２６内に突出している。そして、前記ストラップ金具７２を前記ストラップ金具挿入凹部１２６に挿入すると、該ストラップ金具７２の先端面７２ａで前記係合部１２７の先端の傾斜面１２７ａが押されて前記係合部１２７は、前記バネ１３２の付勢力に抗して逃げ方向に回動する。前記ストラップ金具７２が前記ストラップ金具挿入凹部１２６内に完全に挿入されて、前記ストラップ金具７２の先端面７２ａによる前記係合部１２７の先端の傾斜面１２７ａの押圧が解除されると、前記係合部１２７は、前記バネ１２９の付勢力で自動的に回動して前記溝状の被係合部１１５に係合する。
【００９６】
前記マルチコネクター１２１をカメラ１から外す場合には、前記係合解除釦１２８を押圧すれば、図３０に示すように、前記係合部１２７は、前記バネ１２９の付勢力に抗して逃げ方向に回動して、前記溝状の被係合部１１５との係合が外れてカメラ１から取外し可能な状態になる。
【００９７】
上述のように、前記マルチコネクター１２１が前記ストラップ金具７２と係合すうように構成したので、通常、このようにマルチコネクターとストラップ金具を係合させることのない構造のものと比較して、例えば前記マルチコネクター１２１のコードが引っ張られたりして強い力が掛かっても、直接、コネクター接続部に前記力が掛からなくなり、コネクターや端子を保護することができるという効果がある。
なお、図１、図２等の撮像装置の立体図に対して、図１２〜図２６等は、撮像装置の各部を平面的に見たものであり、曲面や傾斜面、円筒面等については曲率半径や傾斜角度等に若干の相違があったとしてもそれは作図上のものであって同一符合部分は同一の部分を示す。また、図１、図２等の撮像装置の立体図と、図１６、図１７等に示す撮像装置の立体図との間において、曲面や傾斜面、円筒面等についても曲率半径や傾斜角度等に若干の相違があったとしてもこれも作図上のものである。また、断面図において、一部、ハッチング線を省略した。また、上記実施例では、電子機器としてデジタルスチルカメラを例にとって説明したが本発明を適用する電子機器は、デジタルスチルカメラ等の撮像装置のほか、例えば携帯電話機や携帯型のゲーム機等のバッテリーを使用する小型の電子機器に広く適用される。
【図面の簡単な説明】
【００９８】
【図１Ａ】バリヤを第１の位置（開放位置）に移動させた状態の斜視図。
【図１Ｂ】バリヤを第２の位置（閉塞位置）に移動させた状態の斜視図。
【図２Ａ】カメラを背面側から見た斜視図。
【図２Ｂ】カメラを底面側から見た斜視図。
【図３】筐体の分解斜視図。
【図４】筐体の分解斜視図。
【図５】組立てた状態の筐体の断面図。
【図６】筐体と各種部品の分解斜視図。
【図７】仕切板と液晶パネルおよび光学ユニットの関係を示す斜視図。
【図８】仕切板に各種部品を組み付けた状態の斜視図。
【図９】仕切板に各種部品を組み付けた状態の斜視図。
【図１０】仕切板に各種部品を組み付けた筐体の断面図。
【図１１】バリヤを取外した状態の斜視図。
【図１２】バリヤの分解斜視図。
【図１３】ローラの取付けを示す斜視図。
【図１４Ａ】トグルバネの作用を示す説明図。
【図１４Ｂ】トグルバネの作用を示す説明図。
【図１５】トグルバネの説明図。
【図１６】バッテリー蓋を閉じた状態の斜視図。
【図１７】バッテリー蓋を開いた状態の斜視図。
【図１８】バッテリー蓋と軸を示す斜視図。
【図１９】バッテリー蓋に軸を取付けた状態の正面図。
【図２０Ａ】軸の一端部に設けたバネ部の作用を示す説明図。
【図２０Ｂ】軸の一端部に設けたバネ部の作用を示す説明図。
【図２０Ｃ】軸の一端部に設けたバネ部の作用を示す説明図。
【図２１】バッテリー蓋を開いてバッテリーを収納する前の状態を示す斜視図。
【図２２】バッテリーを収納しバッテリー蓋を閉じた状態を示す斜視図。
【図２３】バッテリーリリースレバーが押し戻せなくなった状態を示す説明図。
【図２４】バッテリーが押出された状態の説明図。
【図２５】バッテリーリリースレバーでバッテリーを押出す状態を示す説明図。
【図２６】ストラップ金具の側面図。
【図２７】カメラにマルチコネクターを取付ける前の状態の斜視図。
【図２８】カメラにマルチコネクターを取付けた状態の斜視図。
【図２９】マルチコネクターがストラップ金具にロックされている状態の断面図。
【図３０】ロックが解除された状態の断面図。
【図３１】メモリーカード蓋を閉じた状態の蓋回動機構の断面図。
【図３２】メモリーカード蓋を半開きした状態の蓋回動機構の断面図。
【図３３】メモリーカード蓋を開いた状態の蓋回動機構の断面図。
【図３４】メモリーカード蓋を閉じた状態のクリック機構の断面図。
【図３５】メモリーカード蓋を半開きした状態のクリック機構の断面図。
【図３６】メモリーカード蓋を開いた状態のクリック機構の断面図。
【図３７】メモリーカード蓋を開いた状態の斜視図。
【図３８】機器側端子部の第１実施例の斜視図。
【図３９】前記機器側端子部を裏返した状態の斜視図。
【図４０】機器側端子部をプリント基板に取り付けた状態の斜視図。
【図４１】前記プリント基板を裏返した状態の斜視図。
【図４２】アース端子が接触している状態を示す断面図。
【図４３】図４２の要部の拡大図。
【図４４】端子ホルダの第２実施例の斜視図。
【図４５】プラス端子の斜視図。
【図４６】端子ホルダに端子を取付けた状態の斜視図。
【図４７Ａ】バッテリーの先端が接片に当たった状態を示す断面図。
【図４７Ｂ】バッテリーにより端子の接片が押されて行く状態を示す断面図。
【図４７Ｃ】バッテリーが完全に収納された状態を示す断面図。
【図４８】マイナス端子およびアース端子の斜視図。
【図４９】バッテリーの一例を示す斜視図。
【図５０】問題点を示す断面図。
【符号の説明】
【００９９】
１…デジタルスチルカメラ（電子機器）、２…カメラ本体部、３…第１の主面、４…撮像レンズ、８…筐体、９…上側カバープレート、１０…下側カバープレート、６９…バッテリー収納部、１１１…バッテリー、１１１ａ〜１１１ｂ…バッテリーの端子、１１２…機器側端子部、２０１…プラス端子、２０２…制御端子、２０３…マイナス端子、２０４…端子ホルダ、２０５…ホルダ本体部、２０６…プリント基板重合部、２１１〜２１３…接片、２１４…プリント基板接続部。
【図１Ａ】
2006253084.tif 000003
【図１Ｂ】
2006253084.tif 000004
【図２Ａ】
2006253084.tif 000005
【図２Ｂ】
2006253084.tif 000006
【図３】
2006253084.tif 000007
【図４】
2006253084.tif 000008
【図５】
2006253084.tif 000009
【図６】
2006253084.tif 000010
【図７】
2006253084.tif 000011
【図８】
2006253084.tif 000012
【図９】
2006253084.tif 000013
【図１０】
2006253084.tif 000014
【図１１】
2006253084.tif 000015
【図１２】
2006253084.tif 000016
【図１３】
2006253084.tif 000017
【図１４Ａ】
2006253084.tif 000018
【図１４Ｂ】
2006253084.tif 000019
【図１５】
2006253084.tif 000020
【図１６】
2006253084.tif 000021
【図１７】
2006253084.tif 000022
【図１８】
2006253084.tif 000023
【図１９】
2006253084.tif 000024
【図２０Ａ】
2006253084.tif 000025
【図２０Ｂ】
2006253084.tif 000026
【図２０Ｃ】
2006253084.tif 000027
【図２１】
2006253084.tif 000028
【図２２】
2006253084.tif 000029
【図２３】
2006253084.tif 000030
【図２４】
2006253084.tif 000031
【図２５】
2006253084.tif 000032
【図２６】
2006253084.tif 000033
【図２７】
2006253084.tif 000034
【図２８】
2006253084.tif 000035
【図２９】
2006253084.tif 000036
【図３０】
2006253084.tif 000037
【図３１】
2006253084.tif 000038
【図３２】
2006253084.tif 000039
【図３３】
2006253084.tif 000040
【図３４】
2006253084.tif 000041
【図３５】
2006253084.tif 000042
【図３６】
2006253084.tif 000043
【図３７】
2006253084.tif 000044
【図３８】
2006253084.tif 000045
【図３９】
2006253084.tif 000046
【図４０】
2006253084.tif 000047
【図４１】
2006253084.tif 000048
【図４２】
2006253084.tif 000049
【図４３】
2006253084.tif 000050
【図４４】
2006253084.tif 000051
【図４５】
2006253084.tif 000052
【図４６】
2006253084.tif 000053
【図４７Ａ】
2006253084.tif 000054
【図４７Ｂ】
2006253084.tif 000055
【図４７Ｃ】
2006253084.tif 000056
【図４８】
2006253084.tif 000057
【図４９】
2006253084.tif 000058
【図５０】
2006253084.tif 000059
【手続補正書】
【提出日】平成18年3月10日(2006.3.10)
【手続補正１】
【補正対象書類名】明細書
【補正対象項目名】全文
【補正方法】変更
【補正の内容】
【発明の詳細な説明】
【技術分野】
【０００１】
本発明は、バッテリーを使用するデジタルカメラや携帯式ゲーム機等の電子機器に関するものである。
【背景技術】
【０００２】
デジタルカメラや携帯式ゲーム機等の電子機器として、バッテリーを使用するものが知られている。（例えば、特許文献１）。一方、図４９に示すように、バッテリー３０１として、扁平な薄型の直方体形状に形成されていて、先端部にバッテリー側端子部３０２を設けたもの知られている。前記バッテリー側端子部３０２は、例えば、プラス端子３０３、コントロール端子３０４、マイナス端子３０５を備えている。（例えば、特許文献２）。
【０００３】
前記バッテリー３０１を使用する電子機器は、当然のことながらバッテリー収納部を備えていて、該バッテリー収納部の奥端部には、前記バッテリー側端子部３０２の第１〜第３のバッテリー側端子３０３〜３０５が接触する機器側端子部を備えている。そして、前記バッテリーをバッテリー収納部に挿入すると、前記バッテリー側端子部の第１〜第３のバッテリー側端子３０３〜３０５が、前記バッテリー収納部の奥端側に設けた機器側端子部の第１〜第３の端子に接触するようになっている。
【特許文献１】特開２００３−３６９１５号公報
【特許文献１】特開２００２−１１０１２１号公報
【発明の開示】
【発明が解決しようとする課題】
【０００４】
ところで、扁平な薄型のバッテリーを使用する電子機器において、例えば図５０に示すように、複数の端子３１１を端子ホルダ３１２に取付けて機器側端子部３１３を構成し、前記端子ホルダ３１２をプリント基板３１４に載置し、前記端子ホルダ３１２の下端から突出させた前記複数の端子３１１の下端部３１１ａを前記プリント基板３１４に設けた孔３１５から前記プリント基板３１４の下面側に引き出したのちに、ハンダ付け部３１６により前記プリント基板３１４に接続する構成にした場合には次に述べるような問題点があった。
（１）前記端子ホルダ３１２の上端から前記複数の端子３１１の下端部３１１ａもしくは前記ハンダ付け部３１６の下端までの高さＨ１は、前記端子ホルダ３１２の高さＨ２に、前記プリント基板３１４の肉厚Ｈ３と、前記プリント基板３１４の下面から突出している前記複数の端子３１１の下端部３１１ａの長さ若しくは前記ハンダ付け部３１６の肉厚Ｈ４を加えた値（Ｈ１＝Ｈ２＋Ｈ３＋Ｈ４）となり、電子機器を薄肉にする上でのネックになっている。
（２）前記機器側端子部３１３のアースについては考慮されておらず、前記機器側端子部３１３をアースする場合には、新たにアース構造を施さなければならないためコストが高くなる。
【０００５】
本発明の目的は、前記端子ホルダの上端から前記複数の端子の下端部もしくは前記ハンダ付け部の下端までの高さＨ１をより低くして機器の薄肉化を可能にすることにある。
【０００６】
また、本発明の他の目的は、機器側端子部のアースを容易に行うことができるようにすることにある。
【課題を解決するための手段】
【０００７】
本発明は、扁平な筐体の内部にバッテリー収納部と、該バッテリー収納部に収納されたバッテリーのバッテリー側端子部に接触する機器側端子部と、を備えた電子機器において、前記機器側端子部を、前記バッテリー収納部に収納されたバッテリー側端子部の端子に接触する複数の端子と、これら端子を保持してプリント基板に取付けている端子ホルダと、で構成し、前記端子ホルダの一側面にプリント基板を重ね合わせるプリント基板重合部を設け、該プリント基板重合部にプリント基板を重ね合わせることにより、端子ホルダの側方に保持した。前記機器側端子部の端子の一端側に、前記端子ホルダの一側面から突出して前記バッテリー収納部に収納されたバッテリーの端子に接触する接片を設けると共に、他端側に前記プリント基板重合部を通して該プリント基板重合部に重ね合わされているプリント基板上に突出して、該プリント基板にハンダ付けされるプリント基板接続部を設けた。
【０００８】
前記端子ホルダを、ホルダ本体部と、該ホルダ本体部の一側面に突設されたプリント基板重合部と、により略Ｌ字状に形成し、前記ホルダ本体部に前記端子の接片を収容する接片収容孔を設け、該接片収容孔を介して前記端子の接片の先端部をホルダ本体部の一側面の外部に突出させた。
【０００９】
前記端子を、ベース部と、該ベース部の一端部に設けられた前記接片と、前記ベース部の他端部に前記接片と略平行に設けられた前記プリント基板接続部と、で構成し、前記ベース部を前記端子ホルダのホルダ本体部上に載置し、前記接片を前記接片収容孔内に収容し、前記接片の先端部を前記ホルダ本体部の一側面側に突出させた状態で前記端子ホルダに取付けた。前記プリント基板接続部を、前記プリント基板重合部に重ね合わされているプリント基板上に突出させ、該突出した部分を前記プリント基板にハンダ付けした。前記端子を、一枚の金属板を折り曲げることにより一体に形成した。
【００１０】
前記端子ホルダに、前記複数の端子のうちの少なくとも一つの端子に接続されたアース端子を設けた。前記アース端子を、前記端子ホルダの上面及び／又は下面に配置した。前記アース端子を、前記複数の端子のうちのマイナス端子に接続した。前記アース端子と前記マイナスの端子を一体に形成した。
【発明の効果】
【００１１】
端子ホルダの側方にプリント基板を配置したので、該プリント基板の肉厚を前記端子ホルダの高さ内に吸収し、そのぶん肉厚を薄くすることができる。前記機器側端子部の端子の一端側に設けたプリント基板接続部をプリント基板上に突出させて、該プリント基板にハンダ付けしたので、前記プリント基板接続部の長さおよびハンダ付け部の肉厚を前記ホルダ本体部の高さ内に吸収し、そのぶん肉厚を薄くすることができる。
【００１２】
前記端子ホルダを、ホルダ本体部と、該ホルダ本体部の一側面に突設されたプリント基板重合部と、により略Ｌ字状に形成し、前記ホルダ本体部に前記端子の接片を取付ける接片収容孔を設け、該接片収容孔を介して前記端子の接片の先端部をホルダ本体部の一側面の外部に突出させたので、バッテリーの端子によって、前記接片が押されたときに該接片は前記接片収容孔内に押し戻されて前記接片に過度の押圧力が作用するのを防ぐことができる。また、前記接片の配置スペースを最小限にすることができる。
【００１３】
前記端子を、ベース部と、該ベース部の一端部に設けられた前記接片と、前記ベース部の他端部に設けられた前記プリント基板接続部と、で構成したので、前記ベース部を前記端子ホルダのホルダ本体部上に載置し、前記接片を前記ホルダ本体部の接片収容孔内に収容するとともに、前記接片の先端部を前記接片収容孔から前記ホルダ本体部の一側面側に突出させた状態で前記端子ホルダに取付けることができる。特に、前記プリント基板接続部を、前記プリント基板重合部に重ね合わされているプリント基板に設けた接続部引出孔を介して、前記プリント基板上に突出した部分を前記プリント基板に容易にハンダ付けすることができる。前記端子を、一枚の金属板を折り曲げることにより一体に形成したのて、端子を容易に製造することができると共に、金属板によって前記接片に適度の弾性を持たせることができる。
【００１４】
前記端子ホルダにアース端子を設け、該アース端子を前記複数の端子のうちの少なくとも一つの端子に接続したので、該アース端子を電子機器の金属フレーム等に接触させるによってアースを容易に行うことができる。特に、アース端子を、前記端子ホルダの上面及び／又は下面に配置したので、何れか一方のアース端子を金属製の筐体のカバー等に接触させることによってアースが可能になる。また、前記アース端子と前記マイナス端子を一体に形成したので、アース端子とマイナス端子を別個に製造する場合に較べて、コストが安くなり、また端子ホルダへの組み付けも容易になる。
【発明を実施するための最良の形態】
【００１５】
以下、本発明の電子機器を、（１）電子機器全体の概略構成、（２）カメラ本体部の構成、（３）バッテリーおよびバッテリーの端子部が接触する機器側端子部の構成、（４）バリヤの構成、（５）ローラの構成、（６）バリヤスライドガイド部の構成、（７）トグルバネの構成、（８）メモリーカード収納部の蓋の構成、（９）バッテリー収納部の蓋の構成、（１０）バッテリーリリースレバーの構成、（１１）ストラップ金具の構成、の順に説明する。
（１）電子機器全体の概略構成、
図１Ａ、図１Ｂは本発明の電子機器としてのデジタルカメラを第１の主面（正面）側から見た斜視図、図２は本発明のデジタルカメラを第２の主面（裏面）側から見た斜視図である。
【００１６】
前記デジタルカメラ１は、前記扁平な直方体形状のカメラ本体部２の第１の主面３に臨んで撮像レンズ４と、オートフォーカス用の補助光を発光させるためのＡＦイルミネータ５と、フラッシュ用の発光部６が配置されていて、図１Ａに示す前記撮像レンズ４、ＡＦイルミネータ５、フラッシュ用の発光部６を露出させる第１の位置と、図１Ｂに示す前記撮像レンズ４、ＡＦイルミネータ５、フラッシュ用の発光部６を隠蔽する第２の位置の間で移動可能なバリヤ（レンズカバー）７を備えている。前記カメラ本体部２の第１の主面３からは、前記カメラ本体部２に収容したアイリス駆動機構１８４の一部が突出している。
【００１７】
図１Ａに示すように、前記バリヤ７が前記第１の位置に在るときに該バリヤ７で隠蔽される位置で、かつ図１Ｂに示すように、前記バリヤ７が前記第２の位置に在るときにも該バリヤ７で隠蔽される位置に前記アイリス駆動機構１８４の一部が突出している。
【００１８】
前記バリヤ７は、略矩形状に形成されていて、四隅部には、前記カメラ本体部２の第１の主面３に接触する第１〜第４のローラ１１〜１４が設けられていると共に、移動方向の両側部には一対の第１,第２のバリヤスライドガイド部１５、１６が配置されている。そして、前記バリヤ７は、前記第１〜第４のローラ１１〜１４と第１,第２のバリヤスライドガイド部１５、１６とによって、前記カメラ本体部２の第１の主面３上を前記第１の位置と前記第２の位置の相互で移動するようになっている。
【００１９】
前記第１のバリヤスライドガイド部１５は、後にカメラ本体部の構成の項で詳しく説明するように、カメラ本体部２側に設けた第１のバリヤ係合体２５と、バリヤ側に設けられていて前記第１のバリヤ係合体２５がスライド可能に重合するレール状の第１のバリヤ係合体係合部９１と、からなっている。また、前記第２のバリヤスライドガイド部１６は、前記第１のバリヤスライドガイド部１５と同様に、前記カメラ本体部２側に設けた第２のバリヤ係合体２６と、バリヤ側に設けられていて前記第２のバリヤ係合体２６がスライド可能に重合するレール状の第２のバリヤ係合体係合部９２と、からなっている。
【００２０】
前記バリヤ７は、前記第１の位置に在るときには、図１Ａに示すように、バリヤ付勢バネ（以下、トグルバネと称する）１７のバネ力で前記第１,第２のバリヤ係合体２５、２６に前記レール状の第１,第２のバリヤ係合体係合部９１,９２の一端側に設けた第１のストッパー部１８が押し付けられて前記撮像レンズ４、ＡＦイルミネータ５、フラッシュ用の発光部６を露出させた状態に維持される。また、前記第２の位置に在るときには、図１Ｂに示すように、前記トグルバネ１７のバネ力で前記第１,第２のバリヤ係合体２５,２６に前記レール状の第１,第２のバリヤ係合体係合部９１,９２の他端側に設けた第２のストッパー部１９が押し付けられて前記撮像レンズ４、ＡＦイルミネータ５、フラッシュ用の発光部６および前記アイリス駆動機構１８４の一部を隠蔽した状態に維持される。
【００２１】
図２Ａ、図２Ｂに示すように、前記カメラ本体部２内にはメモリーカード等の記録媒体を収納するメモリーカード収納部６６が設けられている。前記メモリーカード収納部６６は、前記第１の主面３と前記第２の主面５１を結ぶ第１の端面（下端面）６５に開口されていて、該開口部を介して前記メモリーカード収納部６６へのメモリーカードの挿抜が行われる。前記メモリーカード収納部６６の開口部は、メモリーカード収納部用の蓋（以下、メモリーカード蓋と称する）６７で開閉される。また、前記前記カメラ本体部２内には前記メモリーカード収納部６６と直交する方向にバッテリー収納部６９が設けられている。前記バッテリー収納部６９は、前記第１の主面３と前記第２の主面５１を結ぶ第２の端面（右側端面）６８に開口されていて、該開口部を介して前記バッテリー収納部６９へのバッテリーの挿抜が行われる。前記バッテリー収納部６９の開口部は、バッテリー蓋７０で開閉される。前記バッテリー蓋７０の側方には、前記バッテリー収納部６９へのバッテリーの挿入および前記バッテリー収納部６９からバッテリーの抜去を許容するバッテリーリリースレバー７１と、前記バッテリー蓋７０を開いたときに該バッテリー蓋７０が重なるストラップ金具７２と、マルチコネクター接続端子７３と、電源釦７４が設けられている。前記バッテリーリリースレバー７１は、前記バッテリー蓋７０の側方に、該バッテリー蓋７０と非重合状態に配置されている。また、前記バッテリー収納部６９の奥端面には、バッテリーの端子と接触する機器側端子部１１２とバッテリー排出用のバネ１６１が設けられている。
【００２２】
前記バッテリー収納部６９にバッテリーを挿入すると、該バッテリーの先端面で前記バッテリー排出用のバネ１６１が押圧されて、該バッテリー排出用のバネ１６１は蓄勢されて行く。バッテリーがバッテリー収納部６９内に収納されると、前記バッテリーの先端面に設けた端子が前記バッテリー収納部６９の奥端側に設けた機器側端子部１１２と接触する。そこで、前記バッテリーリリースレバー７１の先端で前記バッテリーの背面を押さえて、バッテリーがバッテリー収納部６９から抜け出るのを防止する。
【００２３】
バッテリーをバッテリー収納部６９から抜き出す際には、前記バッテリーリリースレバー７１による前記バッテリーの背面の押さえを解除すると、バッテリーは、前記バッテリー排出用のバネ１６１のバネ力で前記バッテリー収納部６９から所定量押し出される。
（２）カメラ本体部の構成、
カメラ本体部２は、筐体８に各種部品を組み付けることにより構成されている。図３、図４に示すように、前記筐体８は、前記第１の主面３を有する上側カバープレート９と、前記第２の主面５１を有する下側カバープレート１０を結合することにより形成されている。前記筐体８の第１の端面（カメラ通常使用時における下端面）６５は、前記上側カバープレート９の第１の端縁９ａと前記下側カバープレート１０の第１の端縁１０ａを突き合せることにより構成されている。（図２Ｂ参照）。
【００２４】
前記筐体８の第３の端面（上端面）６１は、前記上側カバープレート９の第２の端縁９ｂと、前記下側カバープレート１０の第２の端縁１０ｂを突き合せることにより構成されている。（図１Ａ参照）。前記筐体８の第４の端面（カメラ通常使用時における使用者の左側の端面）７５は、前記上側カバープレート９の第３の端縁９ｃと、前記下側カバープレート１０の第３の端縁１０ｃを突き合せることにより構成されている。（図１Ａ参照）。
【００２５】
前記第４の端面７５と対向する上側カバープレート９の一端側９ｄと、下側カバープレート１０の一端側１０ｄは、開口された状態になっていて、該開口に前記筐体８の第２の端面（カメラ通常使用時における使用者の右側の端面）６８が組み付けられる構成になっている。
【００２６】
前記筐体の第２の端面６８は、アルミダイカストやプラスチックの射出成形によって形成されていて、前記バッテリー収納部６９の開口部６９ａ（図３参照）が形成され、該開口部６９ａは、後に説明するバッテリー蓋７０で開閉される。図４に示すように、前記第２の端面６８の外面側にストラップ金具７２が一体に形成されている。また、前記第２の端面６８の内面側には、前記筐体８内を仕切る仕切板１７１が配置されている。
【００２７】
前記仕切板１７１の一側部は、前記第２の端面６８の内面側に位置決め保持される。前記仕切板１７１の他側部には、第１，第２のアーム部１７２，１７３が設けられている。前記仕切板１７１は、前記第２の端面６８と前記第１，第２のアーム部１７２，１７３とによって、前記第１の主面３と前記第２の主面５１の間に、これら第１の主面３と前記第２の主面５１と略平行に配置されている。図５に示すように、前記筐体８内は、前記仕切板１７１によって、該仕切板１７１と前記筐体８の第１の主面３との間に位置する第１の部品収納空間１７４と、前記仕切板１７１と前記筐体８の第２の主面５１との間に位置する第２の部品収納空間１７５と、前記仕切板１７１の存在しない第３の部品収納空間１７６と、に仕切られている。なお、５２は、前記第２の主面５１に設けられた透明な液晶表示窓である。
【００２８】
図６および図８に示すように、前記第１の部品収納空間１７４内には、ＡＦイルミネータ５とストロボ用の発光部６およびコンデンサ１７９を備えたストロボユニット１８０と、メモリーカード収納部６６と、メインのプリント基板１８１と、機器側端子部１１２と、スピーカ５７と、バッテリー収納部６９等が配置される。
【００２９】
前記バッテリー収納部６９は、前記上側カバープレート９の第１の主面３の内面に設けられている。前記バッテリー収納部６９は、扁平な略四角形の筒状に形成されていて、前記筐体８の第２の端面６８に臨む一端側の開口部６９ａがバッテリー挿抜口になっている。そして、前記上側カバープレート９を前記仕切板１７１上に組み付けたときに、前記バッテリー収納部６９が前記仕切板１７１上に位置するようになっている。
【００３０】
前記プリント基板１８１は、前記メモリーカード収納部６６上に重ね合わせた状態で取付けられている。前記メモリーカード収納部６６は、開口部６６ａが前記筐体８の第１の端面６５の略中央部に臨んで配置されている。前記メモリーカード収納部６６の一側部には前記機器側端子部１１２が設けられている。前記機器側端子部１１２は、前記バッテリー収納部６９の奥端側の開口部６９ｂに臨んでいる。そして、前記バッテリー収納部６９の開口部６９ａからバッテリー１１１を前記バッテリー収納部６９内に収納すると、該バッテリー１１１側の端子が前記メモリーカード収納部６６の一側部に設けた機器側端子部１１２に接触する。
【００３１】
前記ＡＦイルミネータ５と、ストロボ用の発光部６は、前記メモリーカード収納部６６と前記筐体の第３の端面６１との間に配置されている。また、前記コンデンサ１７９は、前記バッテリー収納部６９と前記筐体８の前記第３の端面６１との間に配置されている。
【００３２】
前記第２の部品収納空間１７５には、液晶パネル１８２が配置されている。前記液晶パネル１８２は、背面側が前記仕切板１７１上に支持されている。また、前記液晶パネル１８２の表示画面は、前記筐体８の下側カバープレート１０の第２の主面５１に設けた透明な液晶表示窓５２を介して可視表示される。
【００３３】
前記第３の部品収納空間１７６には、レンズユニット１８３が配置されている。前記レンズユニット１８３は、光学系を縦方向に配置し、プリズムを用いて光軸を折り曲げることで、光学ズームを装備した細長く薄いレンズが使用されている。前記レンズユニット１８３の一端側に撮像レンズ４が配置されている。そして、前記撮像レンズ４を前記筐体の第３の端面６１側、即ち前記ＡＦイルミネータ５の側方に位置させた状態で、前記レンズユニット１８３は、前記第３の部品収納空間１７６に収納されている。
【００３４】
前記レンズユニット１８３の一側部にはアイリス駆動部１８４が設けられていて、該アイリス駆動部１８４の少なくとも一部は、前記第１の部品収納空間１７４内に侵入する。前記アイリス駆動部１８４の少なくとも一部は、バリヤ７側に変位（突出）していて、前記アイリス駆動部１８４の少なくとも一部の底面１８５が図７に示すように、前記液晶パネル１８２の一側部を導入可能なように凹んだ位置に設けられている。そして、図１０に示すように、前記底面１８５が凹んだ位置にあることによって前記液晶パネル１８２を前記レンズユニット１８３側に、より接近させた状態で配置可能になっている。
【００３５】
図６に示すように、前記プリント基板１８１には、前記アイリス駆動部１８４の一部を受け入れる切欠部１８６が設けられている。
【００３６】
前記筐体８の第１の主面３側に変位した前記アイリス駆動部１８４の少なくとも一部は、図９に示すように、前記筐体８の第１の主面３に設けた突出部導入孔１８７に導入されて、該突出部導入孔１８７を介して前記筐体８の第１の主面３から突出している。そして、前記突出部導入孔１８７から突出している前記アイリス駆動部１８４の一部は、図１Ａ、図１Ｂに示すように、前記筐体８の第１の主面３の外面にスライド可能に取付けられたバリヤ７によって隠蔽されている。図６に示すように、前記プリント基板１８１は、複数のコネクタ１９１およびハーネス１９２を介して前記各部品に接続されている。
【００３７】
図１１は前記バリヤ７を取外した状態を示し、前記扁平な直方体形状の筐体８の第１の主面３の上端側の一隅部に臨んで撮像レンズ４が配置され、該撮像レンズ４の一側部にはＡＦイルミネータ５とフラッシュ用の発光部６が配置されている。
【００３８】
前記撮像レンズ４、ＡＦイルミネータ５、フラッシュ用の発光部６の下方にはベースプレート２１が取付けられている。前記ベースプレート２１には第１の開口部２２が設けられていて、該第１の開口部２２内に前記アイリス駆動部１８４の一部が収容されている。また、前記ベースプレート２１には第２の開口部２３が設けられていて、該第２の開口部２３内には前記バリヤ７が前記第１の位置に在るか、或いは前記第２の位置に在るかを検出するために前記筐体８内に設けられているバリヤ位置検出スイッチ（図示省略）を操作するためのスイッチ操作体２４が配置されている。また、前記ベースプレート２１の両側部には、前記第１,第２のバリヤスライドガイド部１５、１６を構成する一対の第１,第２のバリヤ係合体２５，２６が設けられている。
【００３９】
図１２の分解斜視図に示すように、前記ベースプレート２１には、前記第１,第２の開口部２２,２３の両側部に、前記第１,第２のバリヤ係合体２５，２６を取付けるための第１,第２のバリヤ係合体取付部３１,３２が設けられている。これら第１,第２のバリヤ係合体取付部３１,３２には、複数のボス部３３が設けられている。
【００４０】
前記スイッチ操作体２４は、板バネを略くの字状に折り曲げることにより形成されている。前記スイッチ操作体２４の一側部には、該スイッチ操作体２４を前記ベースプレート２１に取付けるための取付基部３４が設けられている。前記取付基部３４には前記第１のバリヤ係合体取付部３１に設けたボス部３３を挿入する複数のボス挿入孔３５が設けられている。
【００４１】
前記スイッチ操作体２４は、前記第２の開口部２３内に挿入した状態で前記取付基部３４に設けた複数のボス挿入孔３５に前記複数のボス部３３を挿入することにより前記第１のバリヤ係合体取付部３１に取付けられる。
【００４２】
また、前記第１のバリヤ係合体２５は、金属板を折り曲げることにより形成されている。前記第１のバリヤ係合体２５の一側部には、該第１のバリヤ係合体２５を前記ベースプレート２１に取付けるための取付基部４１が設けられている。前記取付基部４１には前記第１のバリヤ係合体取付部３１に設けたボス部３３を挿入する複数のボス挿入孔４２が設けられている。
【００４３】
そして、前述したように、前記第１のカバー係合体取付部３１に設けたボス部３３を前記第１のバリヤ係合体取付部３１の取付基部３４に設けたボス挿入孔３５に挿入したのち、これらボス部３３を前記取付基部４１に設けたボス挿入孔４２に挿入して、前記ボス部３３の先端部に所謂かしめ加工を施して拡径することにより、前記第１のバリア係合体２５は前記筐体２の第１の主面３との間にスイッチ操作体２４の取付基部３４を挟んだ状態で前記第１のバリヤ係合体取付部３１に取付けられる。なお、前記第１のバリヤ係合体２５の取付基部４１には複数の位置決めボス４３が設けられている。
【００４４】
前記位置決めボス４３は、前記第１のバリヤ係合体２５を前記第１のバリヤ係合体取付部３１に取付けたときに、前記ベースプレート２１に設けたボス挿入孔４４に嵌合して前記第１のバリヤ係合体２５の位置決めを行う。前記第１のバリヤ係合体２５の取付基部４１には前記トグルバネ１７の一端部を係止する第１のバネ係止部４５が設けられている。
【００４５】
また、前記第２のバリヤ係合体２６は、前記第１のバリヤ係合体２５と同様に金属板を折り曲げることにより形成されている。前記第２のバリヤ係合体２６の一側部には、該第２のバリヤ係合体２６を前記ベースプレート２１に取付けるための取付基部４６が設けられている。前記取付基部４６には前記第２のバリヤ係合体取付部３２に設けたボス部３３を挿入する複数のボス挿入孔４７が設けられている。
【００４６】
そして、前記第２のバリヤ係合体取付部３２に設けたボス部３３を前記取付基部４６に設けたボス挿入孔４７に挿入して、前記ボス部３３の先端部に所謂かしめ加工を施して拡径することにより、前記第２のバリヤ係合体２６は前記第２のバリヤ係合体取付部３２に取付けられる。なお、前記第２のバリヤ係合体２６の取付基部４６には位置決めボス４８が設けられている。前記位置決めボス４８は、前記第２のバリヤ係合体２６を前記第２のバリヤ係合体取付部３２に取付けたときに、該第２のバリヤ係合体取付部３２に設けた位置決めボス挿入孔４９に嵌合して前記第２のバリヤ係合体２６の位置決めを行う。なお、前記ベースプレート２１に設けた第１の開口部２２はアイリスカバーシート５０で塞がれて、前記第１の開口部２２から筐体２内への塵埃等の侵入が阻止される。また、図２Ａに示すように、前記筐体２の前記第１の主面３に対向する第２の主面５１には、液晶表示部５２と、モード切り替えスイッチ５３と、メニュー釦５４と、コントロール釦５５と、画面表示オンオフ釦５６と、スピーカー５７が設けられている。また、前記第１の主面３と前記第２の主面５１を結ぶ第３の端面（上端面）６１には、マイクロホン６２と、ズーム釦６３と、シャッター釦６４と、が設けられている。
（３）バッテリーおよびバッテリーの端子が接触する機器側端子部の構成、
図６に示すように、バッテリー１１１は、扁平の直方体に形成されていて、先端面にプラス端子１１１ａと、制御端子１１１ｂと、マイナス端子１１１ｃを備えている。一方、機器側端子部１１２は、前記バッテリー１１１のプラス端子１１１ａに接触する機器側のプラス端子２０１と、バッテリーの制御端子１１１ｂに接触する機器側の制御端子２０２と、バッテリーのマイナス端子１１１ｃに接触する機器側のマイマス端子２０３と、これら機器側のプラス端子２０１、制御端子２０２、マイナス端子２０３を保持してプリント基板１８１に取付ける端子ホルダ２０４と、を備えている。
【００４７】
図３８に拡大して示すように、前記端子ホルダ２０４は、ホルダ本体部２０５と、該ホルダ本体部２０５の一側面側に突出形成されたプリント基板重合部２０６と、により断面略Ｌ字状に形成されている。
【００４８】
前記プラス端子２０１は、中央部が前記端子ホルダ２０４内に埋設されている。前記プラス端子２０１の一端側は、前記ホルダ本体部２０５の表面から突出していて、該突出した部分を略Ｖ字状に折り曲げることにより接片２１１が形成され、該接片２１１に前記バッテリー１１１のプラス端子１１１ａが接触する。また、前記プラス端子２０１の他端側は、図３９に示すように、前記プリント基板重合部２０６の上面から突出してプリント基板接続部２１４になっている。前記制御端子２０２とマイナス端子２０３も前記プラス端子２０１と略同様に形成されていて、それぞれの接片２１２，２１３が前記バッテリーの制御端子１１１ｂ,マイナス端子１１１ｃに接触するとともに、他端側はプリント基板接続部２１５、２１６になっている。
【００４９】
そして、図４０に示すように、プリント基板重合部２０６の底面に前記プリント基板１８１を重ねると、図４１に示すように、前記プリント基板接続部２１４、２１５、２１６がプリント基板１８１に設けた接続部引出孔１８１ａ，１８１ｂ，１８１ｃを介して前記プリント基板１８１の上面側に突出して、プリント基板接続部２１４、２１５、２１６がプリント基板１８１にハンダ付けされる。
【００５０】
図３９に示すように、前記ホルダ本体部２０５の一側部には凸部２２１が設けられている。前記凸部２２１の上下面には第１、第２のアース端子２２２、２２３が設けられている。前記アース端子２２２、２２３は、リード部２２４を介して前記マイナス端子２０３に接続されている。
【００５１】
そして、図４２、図４３に示すように、前記第１のアース端子２２２は、金属製の上側カバープレート９に接触し、前記凸部２２１の下面に設けた第２のアース端子２２３は、金属製の仕切板１７１に接触するようになっている。
【００５２】
図４４〜図４８は、機器側端子部１１２の第２の実施例を示す。この実施例において、前記端子ホルダ２０４は、前記第１の実施例の場合と同様に、ホルダ本体部２０５と、該ホルダ本体部２０５の一側面に突出形成されたプリント基板重合部２０６と、によって断面略Ｌ字状に形成されている。前記端子ホルダ２０４には前記プラス端子２０１を取付けるプラス端子取付部２３１と、前記制御端子２０２を取付ける制御端子取付部２３２と、前記マイナス端子２０３を取付けるマイナス端子取付部２３３と、前記アース端子２２３を取付けるアース端子取付部２３４と、を備えている。
【００５３】
前記プラス端子取付部２３１は、前記ホルダ本体部２０５に設けられた接片収容孔２４１と、前記プリント基板重合部２０６に設けられていて前記接片収容孔２４１に連なる溝状の凹部２４２と、前記接片収容孔２４１の両側部に設けられた第１の端子係合部２４３と、前記凹部２４２の上部に設けられた所謂アリ溝状の第２の端子係合部２４４と、を備えている。前記制御端子取付部２３２およびマイナス端子取付部２３３も前記プラス端子取付部２３１と略同様に形成されている。また、アース端子取付部２３４は、前記ホルダ本体部２０５に凹部を設けると共に、その上下面を切欠することにより形成されている。
【００５４】
次に、プラス端子２０１と、制御端子２０２と、マイナス端子２０３と、アース端子２２２、２２３について説明する。
【００５５】
前記プラス端子２０１は、ベース部２０１ａの一端部に設けられた接片２１１と、前記ベース部２０１ａの他端部に前記接片２１１と略平行に設けられたプリント基板接続部２１４と、を備えている。
【００５６】
前記接片２１１の下端側の両側部には前記接片収容孔２４１の両側部に設けた第１の端子係合部２４３に係合する第１の爪状の突起２５１が設けられていると共に、前記ベース部２０１ａの両側部には前記凹部２４２の下部に設けられた所謂アリ溝状の第２の端子係合部２４４に係合する第２の爪状の突起２５２が設けられている。
【００５７】
前記プラス端子２０１は、前記接片２１１を前記接片収容孔２４１に挿入し、図４６に示すように、前記第１の爪状の突起２５１を前記第１の端子係合部２４３に係合させ、かつ前記第２の爪状の突起２５２を前記第２の端子係合部２４４に係合させることにより前記ホルダ本体部２０５に取付けられる。そして、図４７Ａに示すように、前記接片２１１の先端部（バッテリー側の端子に接触する部分）２１１ａを前記ホルダ本体部２０５の一側面から突出させた状態で前記端子ホルダ２０４に位置決め固定されている。
【００５８】
前記制御端子２０２とマイナス端子２０３も前記プラス端子２０１と同様に形成され、該プラス端子２０１と同様に端子ホルダ２０４に取付けられている。
【００５９】
また、図４８に示すように、前記マイナス端子２０３の一側部には略Ｕ字状のアーチ部２５３を介してアース端子ベース部２５４が設けられていると共に、該アース端子ベース部２５４に上下一対の第１、第２のアース端子２２２、２２３が設けられている。
【００６０】
そして、前記マイナス端子２０３を図４４に示す前記マイナス端子取付部２３３に取付けると、前記アース端子ベース部２５４が前記アース端子取付部２３４に収容され、前記上下一対のアース端子２２２、２２３が前記ホルダ本体部２０５の上下面から突出するようになっている。前記略Ｕ字状のアーチ部２５３は、その弾性によって前記アース端子取付部２３４の寸法誤差等を吸収しながら前記アース端子ベース部２５４を確実に前記アース端子取付部２３４に取り付けることを可能にしている。前記マイナス端子２０３とアース端子２２２、２２３は一枚の金属板を折り曲げることにより一体に形成されている。なお、上記実施例においては、端子ホルダ２０４の上端部にプリント基板重合部２０６を設け、該プリント基板重合部２０６の下面にプリント基板１８１を重ねる構成にしたが、これとは逆に、端子ホルダ２０４の下端部にプリント基板重合部２０６を設け、該プリント基板重合部２０６の上面にプリント基板１８１を重ねる構成にしてもよい。
【００６１】
この実施例の機器側端子部１１２は上述のような構成であって、バッテリー収納部にバッテリー１１１を挿入すると、図４７Ａ、図４７Ｂに示すように、前記バッテリー１１１の端子１１１ａ〜１１１ｃで機器側の端子２０１〜２０３の接片２１１〜２１３の先端部２１１ａ〜２１１ｃ）が押されて、これら接片２１１〜２１３は、湾曲変形しながら前記接片収容孔２４１に押し込まれて行く。そして、図４７Ｃに示すように、前記バッテリー１１１の先端面１１１ｄが前記前記ホルダ本体部２０５の側面に当接して、バッテリー１１１はバッテリー収納部６９内に完全に収納された状態になると共に、前記接片２１１〜２１３は、それぞれ接片収容孔２４１内に完全に収納された状態になる。従って、前記接片２１１〜２１３の配置スペースを取らず、そのぶん機器を小型化することができる。
【００６２】
本発明の機器側端子部１１２は、上述したように、複数の端子２０１〜２０３を取付けた端子ホルダ２０４のホルダ本体部２０５の一側面にプリント基板１８１に重ね合わせるプリント基板重合部２０６を設け、該プリント基板重合部２０６にプリント基板１８１を重ね合わせる構成にしたので、図４７に示すようにプリント基板１８１の肉厚Ｈ３等を前記ホルダ本体部２０５の高さＨ１内に吸収することができる。また、機器側端子部１１２にアース端子２２２，２２３を設けてアースしたので、機器側端子部１１２における静電気の帯電を防止し、かつアース端子を接触させたカバー等にシールド効果を持たせることができる。
（４）バリヤの構成、
図１２に示すように、前記バリヤ７は、枠状の内側体８１と、該枠状の内側体８１に取付けられて前記スイッチ操作体２６を押圧操作するスイッチ操作体押圧部８２を設けた金属板８３と、該金属板８３を取付けた前記内側体８１の外面に両面接着シート８４等で取付けられた外側体８５と、からなっている。
【００６３】
前記内側体８１には、略四角形の切欠窓部８６が設けられていて、該切欠窓部８６に臨んで前記金属板８３が取付けられる。前記金属板８３には前記スイッチ操作体押圧部８２が切り起こし形成されていると共に、前記第１のバリヤ係合体２５の取付基部４１に設けた第１のバネ係止部４５に一端部を係止された前記トグルバネ１７の他端部を係止する第２のバネ係止部８７を設けた切起部（舌片）８８が切り起こし形成されている。
【００６４】
前記金属板８３の周縁部には複数のボス挿入孔８９が設けられていて、これらボス挿入孔８９に前記内側体８１の切欠窓部８６の周縁部に設けたボス９０を挿入し、これらボス９０の先端にかしめ加工を施して拡径することにより前記金属板８３は前記内側体８１に取付けられる。
【００６５】
また、前記内側体８１の四隅部には前記筐体８の第１の主面３に接触する第１〜第４のローラ１１〜１４が配置されていると共に、移動方向の両側部には、前記ベースプレート２１に取付けた第１,第２のバリヤ係合体２５，２６が係合して移動するレール状の第１,第２のバリヤ係合体係合部９１，９２が設けられている。
【００６６】
前記第１のバリヤ係合体係合部９１は、前記内側体８１の一側部に形成した第１の長孔９３の一側部に沿って形成されている。また、前記第２のバリヤ係合体係合部９２は、前記内側体８１の一側部に形成した第２の長孔９４の他側部に沿って形成されている。前記第１,第２のバリヤ係合体２５，２６と前記レール状の第１,第２のバリヤ係合体係合部９１，９２とにより、前記第１,第２のバリヤスライドガイド部１５、１６が構成される。
（５）ローラの構成、
図１３に示すように、前記第１〜第４のローラ１１〜１４は、円板状のローラ本体部９５と、該ローラ本体部９５の両側面から突出した回転中心軸９６を備えている。前記第１〜第４のローラ１１〜１４は、前記内側体８１の四隅部に設けた第１〜第４のローラ収容部９７に収容され、前記回転中心軸９６を中心にして回転自在になっている。
【００６７】
前記第１〜第４のローラ１１〜１４が回転自在に収容された前記第１〜第４のローラ収容部９７には側方から略コ字状のクリップ９８が取付けられて、前記第１〜第４のローラ１１〜１４が前記第１〜第４のローラ収容部９７から脱落するのを防止している。前記略コ字状のクリップ９８の対向する一対の辺９８ａには切欠窓９８ｂが設けられていて、該切欠窓９８ｂから前記円板状のローラ本体部９５の一部が突出している。
【００６８】
そして、前記内側体８１を前記筐体８の前記第１の主面３に重ね合わせると、前記第１〜第４のローラ１１〜１４が前記筐体８の前記第１の主面３に接触するようになっている。
（６）バリヤスライドガイド部の構成、
バリヤスライドガイド部は、文字通り前記バリヤ７の移動をガイドするものであり、図１４に示すように、前記バリヤ７の一側部に第１のバリヤスライドガイド部１５が配置され、他側部に第２のバリヤスライドガイド部１６が配置されている。
【００６９】
前記第１のバリヤスライドガイド部１５は、前記筐体８に設けた第１のバリヤ係合体２５を前記内側体８１に設けたレール状の第１のバリヤ係合体係合部９１に係合させることにより構成されている。また、前記第２のバリヤスライドガイド部１６は、前記筐体８に設けた第２のバリヤ係合体２６を前記内側体８１に設けたレール状の第２のバリヤ係合体係合部９２に係合させることにより構成されている。
【００７０】
前記第１のバリヤ係合体係合部９１は、前記内側体８１の一側部に形成した第１の長孔９３を介して前記第１のバリヤ係合体２５が重ね合わされた状態で係合されて、前記第１〜第４のローラ１１〜１４を筐体８の主面３に軽く押し付けている。また、前記第２のバリヤ係合体係合部９２は、前記内側体８１の他側部に形成した第２の長孔９４を介して前記第２のバリヤ係合体２６が重ね合わされた状態で係合されて、前記第１〜第４のローラ１１〜１４を筐体８の主面３に軽く押し付けている。そして、前記第１,第２の長孔９３,９４の一側部に沿って、前記バリヤ７は、前記撮像レンズを露出させる第１の位置または撮像レンズを隠蔽する第２の位置に移動させるようになっている。
【００７１】
図１４Ａに示すように、前記レール状の第１,第２のバリヤ係合体係合部９１，９２の長さ方向の一端側には、第１のストッパー部１８が設けられていて、前記バリヤ７が前記第１の位置に移動したときに、前記第１のストッパー部１８が前記第１,第２のバリヤ係合体２５,２６に当接して更なる移動が阻止される。また、図１４（Ｂ）に示すように、前記第１,第２のバリヤ係合体係合部９１，９２の長さ方向の他端側には第２のストッパー部１９が設けられていて、前記バリヤ７が前記第２の位置に移動してきたときに、前記第１,第２のバリヤ係合体２５,２６が当接して更なる移動が阻止される。なお、前記第２のバリヤ係合体係合部９２の第１,第２のストッパー部１８,１９は、前記第２，第４のローラ１２，１４が前記第２，第４のローラ収容部９７から脱落するのを防止している前記略コ字状のクリップ９８で構成されている。
（７）トグルバネの構成、
トグルバネ１７は、前記バリヤ７が前記第１の位置に在るときに前記第１,第２のバリヤ係合体２５,２６を第１のストッパー部１８に押し付けて前記バリヤ７を開放状態に維持し、前記バリヤ７が前記第２の位置に在るときに前記第１,第２のバリヤ係合体２５,２６に前記第２のストッパー部１９に押し付けて前記バリヤ７を閉塞状態に維持する。
【００７２】
図１５に示すように、前記トグルバネ１７は、コイル部１７ａと、該コイル部１７ａの一端から伸びる第１のアーム部１７ｂと、前記コイル部１７ａの他端から伸びる第２のアーム部１７ｃと、からなる所謂捻りコイルバネが使用される。
【００７３】
前記トグルバネ１７の第１のアーム部１７ｂは、前記第１のバリヤ係合体２５の取付基部４１に設けた第１のバネ係止部４５に回動可能に係止されている。また、前記トグルバネ１７の第２のアーム部１７ｃは、前記内側体８１に取付けた金属板８３（図１２参照）の切起部８８に設けられた第２のバネ係止部８７に回動可能に係止されている。
【００７４】
前記トグルバネ１７は、前記バリヤ７が前記第１の位置に在るときには、図１４Ａに示すように、前記第１,第２のバリヤ係合体２５,２６に第１のストッパー部１８を押し付けて前記バリヤ７を開放状態に維持する。そして、前記バリヤ７を第１の位置から第２の位置に移動させて行くと、前記トグルバネ１７のコイル部１７ａが回動（反転）し、前記バリヤ７が所定の位置まで移動してくると、前記トグルバネ１７のバネ力の作用方向が逆転して、図１４Ｂに示すように、前記第１,第２のバリヤ係合体２５,２６に第２のストッパー部１９を押し付けて前記バリヤ７を閉塞状態に維持する。
（８）メモリーカード収納部の蓋（メモリーカード蓋）の構成、
メモリーカード蓋６７は、メモリーカード収納部６６の開口部を開閉するものであり、図３１の断面図に示すように、蓋を閉じた状態において前記第１の主面３と前記第２の主面５１を結ぶ第２の端面（下端面）６５と略面一に重なる端面重合部（蓋本体部）１４１と、前記第２の主面５１に略面一に重なる主面重合部１４２と、を備えている。
【００７５】
前記モリーカード蓋６７は、蓋回動機構１４３により前記筐体８に取り付けられていて、前記メモリーカード収納部６６の開口部６６ａを閉塞する第１の位置（図３１）と、前記開口部６６ａを開放する第２の位置（図３３）との間で回動可能に前記筐体８に取り付けられている。
【００７６】
前記蓋回動機構１４３は、前記メモリーカード蓋６７の回動支点軸１４４と、前記回動支点軸１４４を前記筐体２に移動可能に取り付けている長溝状の軸受１４５と、前記メモリーカード蓋６７の開閉に伴う前記回動支点軸１４４の回転によって前記回動支点軸１４４を前記長溝状の軸受１４５に沿って移動させるラック１４６とピニオン１４７を備えている。
【００７７】
前記回動支点軸１４４は前記メモリーカード蓋６７に設けられ、前記長溝状の軸受１４５は筐体２に設けられている。前記ピニオン１４７は、前記回動支点軸１４４の外周面に設けられ、前記ラック１４６は、前記長溝状の軸受の１４５の軸移動方向に沿って設けられている。
【００７８】
前記長溝状の軸受１４５は、メモリーカード収納部６６へのメモリーカード１４８の挿入方向Ａ・排出方向Ｂに対し略平行に設けられていて、前記メモリーカード蓋６７を閉じると前記回動支点軸１４４が前記長溝状の軸受１４５内をメモリーカード１４８の挿入方向Ａに移動し、前記メモリーカード蓋６７を開くと前記回動支点軸１４４が前記長溝状の軸受１４５内をメモリーカード１４８の排出方向Ｂに移動する。
【００７９】
また、図３４に示すように、前記蓋回動機構１４３は、前記メモリーカード蓋６７を閉じたときに、前記回動支点軸１４４を前記長溝状の軸受１４５のメモリーカード１４８の挿入方向Ａの端部側に押し付け（図３１）、前記メモリーカード蓋６７を開いたときに前記回動支点軸１４４を前記長溝状の軸受１４５のメモリーカード１４８の排出方向Ｂの端部側に押し付ける（図３３）ためのクリック機構１５１を備えている。
【００８０】
前記クリック機構１５１は、前記メモリーカード蓋６７に設けられていて該メモリーカード蓋６７の回動に伴って回動するクリック軸１５２と、前記筐体２に設けられていて前記クリック軸１５２の周面に接触しているバネ材（板バネ）１５３と、で構成されている。前記クリック軸１５２の周面には、前記バネ材１５３で前記回動支点軸１４４を前記長溝状の軸受１４５のメモリーカード１４８の挿入方向Ａの端部側に押し付ける方向の付勢力を発生させるための第１のバネ接触面１５４と、前記回動支点軸１４４を前記長溝状の軸受１４５のメモリーカード１４８の排出方向Ｂの端部側に押し付ける方向の付勢力を発生させるための第２のバネ接触面１５５と、が前記クリック軸１５２の回動方向に連続して設けられている。
【００８１】
第１のバネ接触面１５４と第２のバネ接触面１５５の境界部１５６は、前記バネ材１５３に前記クリック軸１５２の回動力を発生させない所謂ニュートラル位置である。前記境界部１５６の前記クリック軸１５２の回動軸心Ｃからの半径方向の距離は、前記クリック軸１５２の回動軸心Ｃから前記第１，第２のバネ接触面１５４，１５５までの半径方向の距離よりも大に設定されている。なお、図３７は、メモリーカード蓋６７を開いた状態の斜視図であり、前記蓋回動機構１４３はメモリーカード蓋６７の両側部に一対配置され、前記クリック機構１５１は前記蓋回動機構１４３の内側に一対配置されている。
【００８２】
実施例のメモリーカード蓋６７は、上述のような構成であって蓋を閉じた状態においては、図３１に示すように、メモリーカード蓋６７の外面は、筐体８の外面と略面一の状態になる。そして、メモリーカード蓋６７を開くと、該メモリーカード蓋６７は、徐々に筐体８から突出していき、全開状態にすると、図３３に示すように、前記メモリーカード蓋６７は、主面重合部１４２の高さだけ前記筐体８の第２の主面５１から突出し、前記端面重合部（蓋本体部）１４１が前記第２の主面５１に対して平行状態になる。
（９）バッテリー収納部の蓋（バッテリー蓋）の構成、
図１６に示すように、前記第１の主面３と前記第２の主面５１を結ぶ端面６８には、前記バッテリー収納部６９の開口部６９ａを開閉するバッテリー蓋７０と、前記バッテリー収納部６９へのバッテリーの挿脱を許容するバッテリーリリースレバー７１と、前記バッテリー蓋７０を開いたときに該バッテリー蓋７０が重なるストラップ金具７２と、マルチコネクター接続端子７３と、を備えている。前記バッテリーリリースレバー７１は、前記バッテリー蓋７０の長さ方向の一端部の外側に並べた状態で配置されている。
【００８３】
前記バッテリー蓋７０は、軸１０１により前記筐体８に回動可能に取り付けられていて、前記軸１０１を中心にして時計方向に回動させると、図１６に示すように、前記筐体８の端面６８上に重なって、前記開口部６９ａを閉じる。また、図１６に示す状態から反時計方向に略１００°回動させると、図１７に示すように、前記バッテリー蓋７０は、開いた状態になり前記ストラップ金具７２に重なって更なる回動を規制されて前記ストラップ金具７２によって保護される。
【００８４】
図１８に示すように、前記軸１０１は弾性を有する金属棒によって形成されていて、その一端側には前記バッテリー蓋７０の閉塞時においては該バッテリー蓋７０を前記筐体８の端面６８側に押し付け、また、前記バッテリー蓋７０の開放時においては該バッテリー蓋７０を前記ストラップ金具７２に押し付けるバネ部１０２が設けられている。前記バネ部１０２は、前記軸１０１の一端側を折り曲げることにより該軸１０１と一体に形成されていて、図２０Ａ，図２０Ｂ， 図２０Ｃに示すように筐体８側に設けたバネ当接面１０３に接触している。
【００８５】
前記バッテリー蓋７０の閉塞時においては、図２０Ａに示すように、前記バネ部１０２は、筐体２側に設けたバネ当接面１０３に接触して、前記軸１０１およびバッテリー蓋７０に矢印Ａ方向（反時計方向）の回動力を付与して前記バッテリー蓋７０を前記筐体８の端面６８側に押し付ける。図２０Ａに示す状態から前記バッテリー蓋７０を開放方向（矢印Ｂ方向）に回動させると、前記バネ部１０２は前記バネ当接面１０３で押されて変形して行き、図２０Ｂに示すように、前記バッテリー蓋７０が所定角度、例えば４５°開いたときに前記バネ部１０２は最も変形し、前記軸１０１およびバッテリー蓋７０に回動力を付与しない中立位置にくる。図２０Ｂに示す状態から更に前記バッテリー蓋７０を開放方向（矢印Ｂ方向）に回動させると、今度は前記バネ部１０２によって前記バッテリー蓋７０を開放させる方向（矢印Ｂ方向）のバネ力が生じ、前記バッテリー蓋７０は、図２０Ｃに示すように、前記ストラップ金具７２に押し付けられて、前記筐体８の開口部６９ａを開放した状態に維持される。
（１０）バッテリーリリースレバーの構成、
前記バッテリーリリースレバー７１は、図１６、図１７に示すように、一端部に設けたバッテリー係合部１０６が前記バッテリー収納部６９の開口部６９ａの一部を塞ぐ位置と前記開口部６９ａを開放する位置との間でスライド可能に前記第２の端面６８に設けたレバーガイド部１０７に取付けられている。前記バッテリーリリースレバー７１は、底面側に配置されているバネ材１０８により前記バッテリー収納部６９の開口部６９ａの一部を塞ぐ位置に付勢されている。前記バッテリー係合部１０６の上面は傾斜状のバッテリー押出面１０６ａになっている。
【００８６】
図２１に示すように、前記バッテリーリリースレバー７１を前記バネ材１０８のバネ力に抗してバッテリー１１１を挿入するのに支障のない位置、即ち前記開口部６９ａを開放する位置まで押し戻した状態でバッテリー１１１をバッテリー収納部６９に挿入する。バッテリー１１１をバッテリー収納部６９に挿入すると、前記バッテリー１１１の先端面で、前記バッテリー排出用のバネ１６１が押されて撓んで蓄勢される。そして、バッテリー１１１の先端面に設けた端子が前記バッテリー収納部６９の奥端側に設けたバッテリー端子に接触する。
【００８７】
バッテリー１１１をバッテリー収納部６９に収納したのち、前記バッテリーリリースレバー７１の押し戻し押さえ状態を解除すると、該バッテリーリリースレバー７１は、前記バネ材１０８のバネ力で自動的に前記バッテリー収納部６９の開口部６９ａの一部を塞ぐ位置まで復帰して、バッテリー１１１がバッテリー収納部６９から抜け出るのを防止する。そして、図２２に示すように、前記バッテリー蓋７０を閉じてバッテリー１１１の挿入作業が終了する。
【００８８】
前記バッテリー蓋７０を閉じた侭の状態で、前記バッテリーリリースレバー７１を押し戻すことが可能であると、前記バッテリーリリースレバー７１が誤って押し戻されたような場合に、バッテリー１１１がバッテリー収納部６９の奥端部に設けられている機器側端子部１１２のバネ力および前記バッテリー排出用のバネのバネ力によりバッテリー収納部６９から押し出されてしまうことがある。押し出される量が僅かであると、前記バッテリー蓋７０の存在によって、バッテリー１１１がバッテリー収納部６９内に完全に収納されていないことが明確にならない場合がある。
【００８９】
そこで、図２１に示すように、前記バッテリーリリースレバー７１に蓋係合部１１３を設ける一方、前記バッテリー蓋７０にリリースレバー係合部１１４を設け、前記バッテリー蓋７０を閉じた状態にすると、図２３に示すように、前記蓋係合部１１３の側方に前記バッテリーリリースレバー係合部１１４が位置し、前記バッテリーリリースレバー７１を押し戻し方向に移動させようとすると、前記蓋係合部１１３が前記バッテリーリリースレバー係合部１１４に係合して前記バッテリー蓋７０を閉じた侭の状態で前記バッテリーリリースレバー７１が押し戻されるのを防止するようになっている。
【００９０】
前記バッテリー収納部６９からのバッテリー１１１の取り出しは、前記バッテリー蓋７０を開いた後に、前記バッテリーリリースレバー７１を前記バネ材１０８の付勢力に抗して押し戻すことによりなされる。前記バッテリーリリースレバー７１を押し戻して、バッテリー１１１の押さえ状態を解除すると、図２４に示すように、バッテリー１１１は前記機器側端子部１１２の端子のバネ力によりバッテリー収納部６９から押し出される。
【００９１】
前記機器側端子部１１２の端子のバネ力によりバッテリー１１１が押し出された後に、前記バッテリーリリースレバー７１をバッテリー１１１の後部に向けて移動させれば、図２５に示すように、前記バッテリーリリースレバー７１のバッテリー係合部１０６の上面の傾斜状のバッテリー押出面１０６ａで前記バッテリー１１１のプレート１１１ｅに設けた傾斜面１１１ｆを押して前記バッテリー１１１を更にバッテリー収納部６９から押し出す。
（１１）ストラップ金具の構成、
ストラップ金具７２は、落下防止のために手首用のリストストラップや首に掛けるネックストラップ等を取り付けるための金具であり、撮影時に親指等を当てることにより筐体２を保持し易くする働きもする。
【００９２】
前記ストラップ金具７２は、図２及び図１６に示すように、前記筐体８の端面６８の前記第２の主面５１側の側縁に沿って起立させた状態に一体的に形成されていて、前記第２の主面５１側の第１の面７２ａと反対側の第２の面７２ｂが前記バッテリー蓋７０の受面になっている。前記第２の面７２ｂは、前記筐体２の端面６１またはバッテリー収納部６９の開口部６９ａに対して少なくとも９０°よりも大きな傾斜角度θで形成されている。また、前記第１の面７２ａには、前記マルチコネクター接続端子７３に、次に説明するマルチコネクター１２１を接続したときに、該マルチコネクター１２１が前記マルチコネクター接続端子７３から抜けないように、該マルチコネクター１２１の係合部１２７が係合する溝状の被係合部１１５が設けられている。また、ストラップ金具７２には、ストラップを取付けるための孔１１６が設けられている。
【００９３】
図２７は、前記マルチコネクター接続端子７３に接続するマルチコネクター１２１を示す。前記マルチコネクター１２１は、ＤＣ入力端子１２２と、ＵＳＢ端子１２３と、Ａ／Ｖ出力端子１２４を第１の側面１２１ａに備え、前記マルチコネクター接続端子７３に挿入する端子１２５と、前記ストラップ金具７２を挿入するストラップ金具挿入凹部１２６を第２の側面１２１ｂに備え、前記ストラップ金具挿入凹部１２６の内面に臨んで前記ストラップ金具７２の溝状の被係合部１１５に係合する係合部１２７を備え、前記係合部１２７の前記被係合部１１５からの係合解除操作を行う係合解除釦１２８を第３の側面１２１ｃに備えている。
【００９４】
そして、図２７に示すように、カメラ１の略真横から前記マルチコネクター接続端子７３に端子１２５を挿入すれば、図２８に示すように、前記ストラップ金具７２が自ずと前記ストラップ金具挿入凹部１２６内に挿入されるとともに、前記係合部１２７が前記被係合部１１５に係合して、前記マルチコネクター１２１をカメラ１側にロックする。
【００９５】
図２９は、前記マルチコネクター１２１の要部の断面図である。前記爪状の係合部１２７は、軸１３１を中心に回動可能になっていて、バネ１３２によって前記ストラップ金具挿入凹部１２６内に突出している。そして、前記ストラップ金具７２を前記ストラップ金具挿入凹部１２６に挿入すると、該ストラップ金具７２の先端面７２ａ´で前記係合部１２７の先端の傾斜面１２７ａが押されて前記係合部１２７は、前記バネ１３２の付勢力に抗して逃げ方向に回動する。前記ストラップ金具７２が前記ストラップ金具挿入凹部１２６内に完全に挿入されて、前記ストラップ金具７２の先端面７２ａ´による前記係合部１２７の先端の傾斜面１２７ａの押圧が解除されると、前記係合部１２７は、前記バネ１３２の付勢力で自動的に回動して前記溝状の被係合部１１５に係合する。
【００９６】
前記マルチコネクター１２１をカメラ１から外す場合には、前記係合解除釦１２８を押圧すれば、図３０に示すように、前記係合部１２７は、前記バネ１３２の付勢力に抗して逃げ方向に回動して、前記溝状の被係合部１１５との係合が外れてカメラ１から取外し可能な状態になる。
【００９７】
上述のように、前記マルチコネクター１２１が前記ストラップ金具７２と係合すうように構成したので、通常、このようにマルチコネクターとストラップ金具を係合させることのない構造のものと比較して、例えば前記マルチコネクター１２１のコードが引っ張られたりして強い力が掛かっても、直接、コネクター接続部に前記力が掛からなくなり、コネクターや端子を保護することができるという効果がある。
なお、図１、図２等の撮像装置の立体図に対して、図１２〜図２６等は、撮像装置の各部を平面的或いは立体的に見たものであり、曲面や傾斜面、円筒面等については曲率半径や傾斜角度等に若干の相違は作図上のものであって同一符合部分は同一の部分を示す。また、図１、図２等の撮像装置の立体図と、図１６、図１７等に示す撮像装置の立体図との間において、曲面や傾斜面、円筒面等についても曲率半径や傾斜角度等に若干の相違があるがこれも作図上のものである。また、断面図において、一部、ハッチング線を省略した。また、上記実施例では、電子機器としてデジタルスチルカメラを例にとって説明したが本発明を適用する電子機器は、デジタルカメラ等の撮像装置のほか、例えば携帯電話機や携帯型のゲーム機等のバッテリーを使用する小型の電子機器に広く適用される。
【図面の簡単な説明】
【００９８】
【図１Ａ】バリヤを第１の位置（開放位置）に移動させた状態の斜視図。
【図１Ｂ】バリヤを第２の位置（閉塞位置）に移動させた状態の斜視図。
【図２Ａ】カメラを背面側から見た斜視図。
【図２Ｂ】カメラを底面側から見た斜視図。
【図３】筐体の分解斜視図。
【図４】筐体の分解斜視図。
【図５】組立てた状態の筐体の断面図。
【図６】筐体と各種部品の分解斜視図。
【図７】仕切板と液晶パネルおよび光学ユニットの関係を示す斜視図。
【図８】仕切板に各種部品を組み付けた状態の斜視図。
【図９】仕切板に各種部品を組み付けた状態の斜視図。
【図１０】仕切板に各種部品を組み付けた筐体の断面図。
【図１１】バリヤを取外した状態の斜視図。
【図１２】バリヤの分解斜視図。
【図１３】ローラの取付けを示す斜視図。
【図１４Ａ】トグルバネの作用を示す説明図。
【図１４Ｂ】トグルバネの作用を示す説明図。
【図１５】トグルバネの説明図。
【図１６】バッテリー蓋を閉じた状態の斜視図。
【図１７】バッテリー蓋を開いた状態の斜視図。
【図１８】バッテリー蓋と軸を示す斜視図。
【図１９】バッテリー蓋に軸を取付けた状態の正面図。
【図２０Ａ】軸の一端部に設けたバネ部の作用を示す説明図。
【図２０Ｂ】軸の一端部に設けたバネ部の作用を示す説明図。
【図２０Ｃ】軸の一端部に設けたバネ部の作用を示す説明図。
【図２１】バッテリー蓋を開いてバッテリーを収納する前の状態を示す斜視図。
【図２２】バッテリーを収納しバッテリー蓋を閉じた状態を示す斜視図。
【図２３】バッテリーリリースレバーが押し戻せなくなった状態を示す説明図。
【図２４】バッテリーが押出された状態の説明図。
【図２５】バッテリーリリースレバーでバッテリーを押出す状態を示す説明図。
【図２６】ストラップ金具の側面図。
【図２７】カメラにマルチコネクターを取付ける前の状態の斜視図。
【図２８】カメラにマルチコネクターを取付けた状態の斜視図。
【図２９】マルチコネクターがストラップ金具にロックされる前の断面図。
【図３０】マルチコネクターがストラップ金具にロックされた後の断面図。
【図３１】メモリーカード蓋を閉じた状態の蓋回動機構の断面図。
【図３２】メモリーカード蓋を半開きした状態の蓋回動機構の断面図。
【図３３】メモリーカード蓋を開いた状態の蓋回動機構の断面図。
【図３４】メモリーカード蓋を閉じた状態のクリック機構の断面図。
【図３５】メモリーカード蓋を半開きした状態のクリック機構の断面図。
【図３６】メモリーカード蓋を開いた状態のクリック機構の断面図。
【図３７】メモリーカード蓋を開いた状態の斜視図。
【図３８】機器側端子部の第１実施例の斜視図。
【図３９】前記機器側端子部を裏返した状態の斜視図。
【図４０】機器側端子部をプリント基板に取り付けた状態の斜視図。
【図４１】前記プリント基板を裏返した状態の斜視図。
【図４２】アース端子が接触している状態を示す断面図。
【図４３】図４２の要部の拡大図。
【図４４】端子ホルダの第２実施例の斜視図。
【図４５】プラス端子の斜視図。
【図４６】端子ホルダに端子を取付けた状態の斜視図。
【図４７Ａ】バッテリーの先端が接片に当たった状態を示す断面図。
【図４７Ｂ】バッテリーにより端子の接片が押されて行く状態を示す断面図。
【図４７Ｃ】バッテリーが完全に収納された状態を示す断面図。
【図４８】マイナス端子およびアース端子の斜視図。
【図４９】バッテリーの一例を示す斜視図。
【図５０】問題点を示す断面図。
【符号の説明】
【００９９】
１…デジタルスチルカメラ（電子機器）、２…カメラ本体部、３…第１の主面、４…撮像レンズ、８…筐体、９…上側カバープレート、１０…下側カバープレート、６９…バッテリー収納部、１１１…バッテリー、１１１ａ〜１１１ｂ…バッテリーの端子、１１２…機器側端子部、２０１…プラス端子、２０２…制御端子、２０３…マイナス端子、２０４…端子ホルダ、２０５…ホルダ本体部、２０６…プリント基板重合部、２１１〜２１３…接片、２１４…プリント基板接続部。
【手続補正２】
【補正対象書類名】図面
【補正対象項目名】図２Ａ
【補正方法】変更
【補正の内容】
【図２Ａ】
2006253084.tif 000060
【手続補正３】
【補正対象書類名】図面
【補正対象項目名】図２Ｂ
【補正方法】変更
【補正の内容】
【図２Ｂ】
2006253084.tif 000061
【手続補正４】
【補正対象書類名】図面
【補正対象項目名】図１６
【補正方法】変更
【補正の内容】
【図１６】
2006253084.tif 000062
【手続補正５】
【補正対象書類名】図面
【補正対象項目名】図２４
【補正方法】変更
【補正の内容】
【図２４】
2006253084.tif 000063
【手続補正６】
【補正対象書類名】図面
【補正対象項目名】図２５
【補正方法】変更
【補正の内容】
【図２５】
2006253084.tif 000064
【手続補正７】
【補正対象書類名】図面
【補正対象項目名】図２９
【補正方法】変更
【補正の内容】
【図２９】
2006253084.tif 000065
【手続補正８】
【補正対象書類名】図面
【補正対象項目名】図４７Ｃ
【補正方法】変更
【補正の内容】
【図４７Ｃ】
2006253084.tif 000066